(57)【要約】【課題】  本発明は、液体から気泡を混入したミスト状の液滴にして、ミスト状の液滴を噴射するミストスプレーに関する。【解決手段】  本発明は、液体を貯留した液体容器と、液体容器の液体の中に浸漬される液体流路を有するスプレー本体と、液体容器の液体を液体流路を通して流出させる液体送出手段と、液体流路から流出される液体を噴射する噴霧ノズルと、噴霧ノズルに配置されて、液体をミスト状の液滴にするミスト発生手段を備える。ミスト発生手段は、円錐穴のミスト絞り穴と、ミスト絞り穴内に挿入される円錐渦巻き状のミストガイドを備える。ミスト絞り穴の円錐内周面及びミストガイドの第１及び第２渦巻き面の間に、渦巻き状の第１及び第２ミスト流路を形成し、第１及び第２ミスト流路をミスト絞り穴に開口し、及び液体流路に連通する。【選択図】  図６
2020142223.tif 000002
【特許請求の範囲】
【請求項１】
液体を貯留した液体容器と、
前記液体容器に取付けられ、一方の開口端が前記液体容器に貯留した液体の中に浸漬される液体流路を有するスプレー本体と、
前記スプレー本体に配置され、手動操作に伴って、前記液体容器に貯留した前記液体を前記液体流路を通して前記液体流路の他方の開口端から流出させる液体送出手段と、
前記スプレー本体に配置され、前記液体流路の他方の開口端に連通される噴霧ノズルと、
前記噴霧ノズルに配置され、前記液体流路から流出される前記液体をミスト状の液滴にするミスト発生手段と、を含んで構成され、
前記ミスト発生手段は、
前記噴霧ノズルを貫通して、前記液体流路に連通されるミスト絞り穴と、
円錐渦巻き状に形成され、同一渦巻き状の複数の渦巻き面を有するミストガイドと、
を備え、
前記ミスト絞り穴は、
前記液体流路側から縮径しつつ前記噴霧ノズルを貫通する円錐穴に形成され、
前記各渦巻き面は、
前記ミストガイドの円錐側面に交差して円錐底平面及び円錐上面の間に配置され、
前記円錐底平面から前記円錐上面に向けて縮径しつつ渦巻き状に形成され、
前記ミストガイドは、
前記円錐側面及び前記ミスト絞り穴の円錐内周面の間に隙間を隔てて、前記円錐上面から前記ミスト絞り穴内に挿入され、
前記各渦巻き面及び前記円錐内周面の間に、渦巻き状の複数のミスト流路を形成して、前記ミスト絞り穴内に装着され、
前記各ミスト流路は、
前記ミスト絞り穴内に開口され、前記液体流路に連通される
ことを特徴とするミストスプレー。
【請求項２】
前記ミスト発生手段は、
円錐渦巻き状に形成され、同一渦巻き状の第１及び第２渦巻き面を有するミストガイドを備え、
前記第１及び第２渦巻き面は、
前記ミストガイドの円錐側面に交差して前記円錐底平面及び前記円錐上面の間に配置され、
前記ミストガイドの円錐中心線を対称点として点対称に配置され、
前記円錐底平面から前記円錐上面に向けて縮径しつつ渦巻き状に形成され、
前記ミストガイドは、
前記円錐側面及び前記ミスト絞り穴の円錐内周面の間に隙間を隔てて、前記円錐上面から前記ミスト絞り穴内に挿入され、
前記第１及び第２渦巻き面及び前記円錐内周面の間に、渦巻き状の第１及び第２ミスト流路を形成し、
前記第１及び第２ミスト流路は、
前記ミスト絞り穴内に開口され、前記液体流路に連通される
ことを特徴とする請求項１に記載のミストスプレー。
【請求項３】
液体を貯留し、及び圧縮気体が前記液体の中に供給される液体容器と、
前記液体容器を密封して前記液体容器に取付けられ、一方の開口端が前記液体容器に貯留した前記液体の中に浸漬される液体流路を有するスプレー本体と、
前記スプレー本体に配置され、前記液体流路を開閉する液体流路開閉弁と、
前記スプレー本体に配置され、手動操作に伴って、前記液体流路開閉弁を開弁又は閉弁する弁開閉手段と、
前記スプレー本体に配置され、前記液体流路の他方の開口端に連通される噴霧ノズルと、
前記噴霧ノズルに配置され、前記液体流路の他方の開口端から流出される前記液体をミスト状の液滴にするミスト発生手段と、を含んで構成され、
前記ミスト発生手段は、
前記噴霧ノズルを貫通して、前記液体流路に連通されるミスト絞り穴と、
円錐渦巻き状に形成され、同一渦巻き状の複数の渦巻き面を有するミストガイドと、
を備え、
前記ミスト絞り穴は、
前記液体流路側から縮径しつつ前記噴霧ノズルを貫通する円錐穴に形成され、
前記各渦巻き面は、
前記ミストガイドの円錐側面に交差して円錐底平面及び円錐上面の間に配置され、
前記円錐底平面から前記円錐上面に向けて縮径しつつ渦巻き状に形成され、
前記ミストガイドは、
前記円錐側面及び前記ミスト絞り穴の円錐内周面の間に隙間を隔てて、前記円錐上面から前記ミスト絞り穴内に挿入され、
前記各渦巻き面及び前記円錐内周面の間に、渦巻き状の複数のミスト流路を形成して、前記ミスト絞り穴内に装着され、
前記各ミスト流路は、
前記ミスト絞り穴内に開口され、前記液体流路に連通される
ことを特徴とするミストスプレー。
【請求項４】
前記ミスト発生手段は、
円錐渦巻き状に形成され、同一渦巻き状の第１及び第２渦巻き面を有するミストガイドを備え、
前記第１及び第２渦巻き面は、
前記ミストガイドの円錐側面に交差して前記円錐底平面及び前記円錐上面の間に配置され、
前記ミストガイドの円錐中心線を対称点として点対称に配置され、
前記円錐底平面から前記円錐上面に向けて縮径しつつ渦巻き状に形成され、
前記ミストガイドは、
前記円錐側面及び前記ミスト絞り穴の円錐内周面の間に隙間を隔てて、前記円錐上面から前記ミスト絞り穴内に挿入され、
前記第１及び第２渦巻き面及び前記円錐内周面の間に、渦巻き状の第１及び第２ミスト流路を形成し、
前記第１及び第２ミスト流路は、
前記ミスト絞り穴内に開口され、前記液体流路に連通される
ことを特徴とする請求項３に記載のミストスプレー。
【請求項５】
前記液体容器に気密に配置され、一方の開口端が前記液体容器に貯留した前記液体の中に浸漬される気体流路と、
前記気体流路の他方の開口端に連通され、圧縮気体を前記気体流路を通して前記液体容器に貯留した前記液体の中に供給する圧縮気体供給手段と、
前記気体流路に配置され、前記圧縮気体供給手段から前記液体容器への前記圧縮気体の流れを許容し、及び前記液体容器から前記圧縮気体供給手段への前記液体及び前記圧縮気体の流れを阻止する気体流路逆止弁と、
を含んで構成される
ことを特徴とする請求項３又は請求項４に記載のミストスプレー。
【発明の詳細な説明】
【技術分野】
【０００１】
本発明は、液体から気泡を混入したミスト状の液滴にして、ミスト状の液滴を噴射するミストスプレーに関する。
【背景技術】
【０００２】
ミスト状の液滴を噴射する技術として、特許文献１は、トリガースプレイヤを開示する。トリガースプレイヤは、トリガーレバーを回動操作することで、容器に貯留した液体をノズル部に流出して、ノズル部からミスト状の液滴を噴射する。
【先行技術文献】
【特許文献】
【０００３】
【特許文献１】特開２０１７−１３００８号公報
【発明の概要】
【発明が解決しようとする課題】
【０００４】
しかし、特許文献１では、ノズル部からミスト状の液滴を噴射しているので、十分な気泡を液体に混入したミスト状の液滴をノズル部から噴射できない。
【０００５】
本発明は、液体から気泡を十分に混入したミスト状の液滴として、十分な気泡の混入したミスト状の液滴を噴霧ノズルから噴射できるミストスプレー（ミストスプレー装置）を提供することにある。
【課題を解決するための手段】
【０００６】
発明に係る請求項１は、液体を貯留した液体容器と、前記液体容器に取付けられ、一方の開口端が前記液体容器に貯留した液体の中に浸漬される液体流路を有するスプレー本体と、前記スプレー本体に配置され、手動操作に伴って、前記液体容器に貯留した前記液体を前記液体流路を通して前記液体流路の他方の開口端から流出させる液体送出手段と、前記スプレー本体に配置され、前記液体流路の他方の開口端に連通される噴霧ノズルと、前記噴霧ノズルに配置され、前記液体流路から流出される前記液体をミスト状の液滴にするミスト発生手段と、を含んで構成され、前記ミスト発生手段は、前記噴霧ノズルを貫通して、前記液体流路に連通されるミスト絞り穴と、円錐渦巻き状に形成され、同一渦巻き状の複数の渦巻き面を有するミストガイドと、を備え、前記ミスト絞り穴は、前記液体流路側から縮径しつつ前記噴霧ノズルを貫通する円錐穴に形成され、前記各渦巻き面は、前記ミストガイドの円錐側面に交差して円錐底平面及び円錐上面の間に配置され、前記円錐底平面から前記円錐上面に向けて縮径しつつ渦巻き状に形成され、前記ミストガイドは、前記円錐側面及び前記ミスト絞り穴の円錐内周面の間に隙間を隔てて、前記円錐上面から前記ミスト絞り穴内に挿入され、前記各渦巻き面及び前記円錐内周面の間に、渦巻き状の複数のミスト流路を形成して、前記ミスト絞り穴内に装着され、前記各ミスト流路は、前記ミスト絞り穴内に開口され、前記液体流路に連通されることを特徴とするミストスプレーである。
【０００７】
本発明に係る請求項２は、前記ミスト発生手段は、円錐渦巻き状に形成され、同一渦巻き状の第１及び第２渦巻き面を有するミストガイドを備え、前記第１及び第２渦巻き面は、前記ミストガイドの円錐側面に交差して前記円錐底平面及び前記円錐上面の間に配置され、前記ミストガイドの円錐中心を対称点として点対称に配置され、前記円錐底平面から前記円錐上面に向けて縮径しつつ渦巻き状に形成され、前記ミストガイドは、前記円錐側面及び前記ミスト絞り穴の円錐内周面に隙間を隔てて、前記円錐上面から前記ミスト絞り穴内に挿入され、前記第１及び第２渦巻き面及び前記円錐内周面の間に、渦巻き状の第１及び第２ミスト流路を形成し、前記第１及び第２ミスト流路は、前記ミスト絞り穴内に開口され、前記液体流路に連通されることを特徴とする請求項１に記載のミストスプレーである。
本発明に係る請求項１及び請求項２では、前記液体送出手段は、前記スプレー本体に配置され、前記液体流路に連通される液体送出ピストン穴と、前記スプレー本体に回動自在に取付けられ、手動操作にて回動されるトリガーレバー（トリガー）と、前記液体送出ピストン穴に摺動自在に配置され、前記トリガーレバーに当接さえる液体送出ピストンと、前記液体送出ピストン穴に配置され、前記トリガーレバー及び前記液体送出ピストンを前記液体流路から離間する方向に付勢する復帰バネと、前記ミストガイド及び前記液体送出ピストン穴の間の前記液体流路に配置され、前記液体送出ピストン穴側から前記ミストガイドへの液体の流れを許容し、及び前記ミストガイドから前記液体送出ピストン穴側への液体の流れを阻止するミスト側液体流路逆止弁と、前記液体送出ピストン穴及び前記一方の開口端の間の前記液体流路に配置され、前記液体送出ピストン穴側から前記液体流路の一方の開口端への液体の流れを阻止し、及び前記液体流路の一方の開口端から前記液体送出ピストン穴側への液体の流れを許容する容器側液体流路逆止弁と、を備え、前記トリガーレバーは、一方向の回動に伴って、前記液体送出ピストンを前記復帰バネに抗して前記液体流路側に移動させて、前記液体送出ピストン穴内の液体に圧を加える構成を採用できる。
【０００８】
本発明に係る請求項３は、液体を貯留し、及び圧縮空気が前記液体の中に供給される液体容器と、前記液体容器を密封して前記液体容器に取付けられ、一方の開口端が前記液体容器に貯留した前記液体の中に浸漬される液体流路を有するスプレー本体と、前記スプレー本体に配置され、前記液体流路を開閉する液体流路開閉弁と、前記スプレー本体に配置され、手動操作に伴って、前記液体流路開閉弁を開弁又は閉弁する弁開閉手段と、前記スプレー本体に配置され、前記液体流路の他方の開口端に連通される噴霧ノズルと、前記噴霧ノズルに配置され、前記液体流路の他方の開口端から流出される前記液体をミスト状の液滴にするミスト発生手段と、を含んで構成され、前記ミスト発生手段は、前記噴霧ノズルを貫通して、前記液体流路に連通されるミスト絞り穴と、円錐渦巻状に形成され、同一巻き状の複数の渦巻き面を有するミストガイドと、を備え、前記ミスト絞り穴は、前記液体流路から縮径しつつ前記噴霧ノズルを貫通する円錐穴に形成され、前記各渦巻き面は、前記ミストガイドの円錐側面に交差して円錐底平面及び円錐上面の間に配置され、前記円錐底平面から前記円錐上面に向けて縮径しつつ渦巻き状に形成され、前記ミストガイドは、前記円錐側面及び前記ミスト絞り穴の円錐内周面の間に隙間を隔てて、前記円錐上面から前記ミスト絞り穴内に挿入され、前記各渦巻き面及び前記円錐内周面の間に、渦巻き状の複数のミスト流路を形成して、前記ミスト絞り穴内に装着され、前記各ミスト流路は、前記ミスト絞り穴内に開口され、前記液体流路に連通されることを特徴とするミストスプレーである。
【０００９】
本発明に係る請求項４は、前記ミスト発生手段は、円錐渦巻き状に形成され、同一渦巻き状の第１及び第２渦巻き面を有するミストガイドを備え、前記第１及び第２渦巻き面は、前記ミストガイドの円錐側面に交差して前記円錐底平面及び前記円錐上面の間に配置され、前記ミストガイドの円錐中心線を対称点として点対称に配置され、前記円錐底平面から前記円錐上面に向けて縮径しつつ渦巻き状に形成され、前記ミストガイドは、前記円錐側面及び前記ミスト絞り穴の円錐内周面に隙間を隔てて、前記円錐上面から前記ミスト絞り穴内に挿入され、前記第１及び第２渦巻き面及び前記円錐内周面の間に、渦巻き状の第１及び第２ミスト流路を形成し、前記第１及び第２ミスト流路は、前記ミスト絞り穴内に開口され、前記液体流路に連通されることを特徴とする請求項３に記載のミストスプレーである。
【００１０】
本発明に係る請求項５は、前記液体容器に気密に配置され、一方の開口端が前記液体容器に貯留した前記液体の中に浸漬される気体流路と、前記気体流路の他方の開口端に連通され、圧縮気体を前記気体流路を通して前記液体容器に貯留した前記液体の中に供給する圧縮気体供給手段と、前記気体流路に配置され、前記圧縮気体供給手段から前記液体容器への前記圧縮気体の流れを許容し、及び前記液体容器から前記圧縮気体供給手段への前記液体及び前記圧縮気体の流れを阻止する気体流路逆止弁と、を含んで構成されることを特徴とする請求項３又は請求項４に記載のミストスプレーである。
本発明に係る請求項５では、前記圧縮気体供給手段は、一方のシリンダー端が閉塞され、他方のシリンダー端が開口され、及び一方のシリンダー端に前記気体流路に連通される気体絞り穴を有する圧縮気体シリンダーと、前記圧縮気体シリンダー内に摺動自在に配置される圧縮気体ピストン体と、前記圧縮気体シリンダーの他方のシリンダー端を閉塞して、前記圧縮気体シリンダーに取付けられるシリンダー蓋と、前記圧縮気体ピストン体及び前記シリンダー蓋の間に配置され、前記圧縮気体ピストン体に取付けられる圧縮気体シャフトと、を備え、前記圧縮気体ピストン体は、ピストン本体と、弾性のシールリングを、備え、前記ピストン本体は、前記圧縮気体シリンダーと同心に配置され、前記圧縮気体シリンダーのシリンダー中心線の方向に延在されるピストン軸と、前記ピストン軸の外周面から突出して、前記圧縮気体シリンダーのシリンダー内周面に隙間を隔てて配置され、複数の気体流れ溝を有する第１ピストン円板と、前記ピストン軸の軸心方向の前記シリンダー蓋側において、前記第１ピストン円板にリング間隔を隔てて並列され、及び前記ピストン軸の外周面から突出して、前記圧縮気体シリンダーのシリンダー内周面に気体流れ隙間を隔てて配置される第２ピストン円板と、第１及び第２ピストン円板の間に配置され、及び前記ピストン軸の外周面から突出して、前記第１及び第２ピストン円板の外周面に間隔を隔てて配置される複数の気体流れ突起と、を有し、前記各気体流れ溝は、前記ピストン軸の軸心線の方向にて前記第１ピストン円板を貫通し、及び前記ピストン軸の外周面から延在して前記第１ピストン円板の外周面に開口され、前記シールリングは、前記ピストン軸の軸心方向において、前記第１及び第２ピストン円板にリング移動間隔を隔てて、前記第１及び第２ピストン円板の間に移動自在に配置され、リング外周面を前記圧縮気体シリンダーのシリンダー内周面に当接し、及びリング内周面を前記各気体流れ突起に隙間を隔てて、前記ピストン軸に外嵌され、前記圧縮気体シャフトは、前記ピストン軸に取付けられて、前記圧縮気体シリンダーのシリンダー中心線方向の前記シリンダー蓋側に延在され、前記シリンダー蓋に気体流入隙間を隔てて、前記シリンダー蓋を貫通する構成を採用できる。
【発明の効果】
【００１１】
本発明に係る請求項１では、液体送出手段を手動操作して、液体容器に貯留した液体を液体流路の他方の開口端から噴霧ノズルに流出（噴出）する。液体は、液体流路からミスト絞り穴に流出される。液体は、ミスト絞り穴内において、渦巻き状の各ミスト流路を流れ、ミスト絞り穴内に流出される。更に、ミスト絞り穴内からミスト状の液滴を外部に噴射する。
液体は、渦巻き状の各ミスト流路を流れることによって昇圧されて、各ミスト流路からミスト絞り穴内に噴射される。これにより、各ミスト流路からミスト絞り穴内に噴射される液体は、高圧で乱流になる。また、ミスト絞り穴からミスト状の液滴が噴射されると、ミスト絞り穴の出口側（ミスト状の液滴を噴射した側）で負圧状態になる。
ミスト絞り穴の出口側を負圧状態にすることで、各ミスト流路からミスト絞り穴内に噴射された高圧及び乱流の液体は、ミスト絞り穴の出口部分を通過する際、減圧による気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
気泡の混入したミスト状の液滴は、ミスト絞り穴から外部に噴射される。
このように、請求項１では、ミストガイド及びミスト絞り穴によって、マイクロ単位の気泡（マイクロバブル）及びナノ単位の気泡（ウルトラファインバブル）が十分に混入、溶け込んでミスト状の液滴を外部に噴射できる。
なお、国際標準化機構（ＩＳＯ）の国際規格「ＩＳＯ２０４８０−１」には、１マイクロメートル以上〜１００マイクロメートル（μｍ）の気泡を「マイクロバブル」、１マイクロメール未満の気泡を「ウルトラファインバブル」を定めている（以下、同様）。
【００１２】
本発明に係る請求項２では、複数で最小のミスト流路（渦巻き面）によって、液体を十分なミスト状の液滴にできる。第１及び第２渦巻き面を点対称に配置することで、第１及び第２ミスト流路は、円錐上面にて対向（対峙）して配置される。
これにより、第１及び第２ミスト流路からミスト絞り穴内に噴射される高圧状態の液体を円錐上面にて相互に衝突することで、十分なマイクロ単位の気泡（マイクロバブル）及びナノ単位の気泡（ウルトラファインバブル）の混入、溶け込んだミスト状の液滴にできる。
【００１３】
本発明に係る請求項３では、弁開閉手段を手動操作して、液体流路を開弁し、液体容器に貯留した液体であって、圧縮空気による気体が溶け込んだ液体を液体流路の他方の開口端から噴霧ノズルに流出（噴射）する。気体が溶け込んだ液体は、液体流路からミスト絞り穴に流出される。気体が溶け込んだ液体は、ミスト絞り穴内において、渦巻き状の各ミスト流路を流れ、ミスト絞り穴内に流出される。更に、ミスト絞り穴内からミスト状の液滴を外部に噴射する。
気体が溶け込んだ液体は、渦巻き状の各ミスト流路を流れることによって昇圧されて、各ミスト流路からミスト絞り穴内に噴射される。これにより、各ミスト流路からミスト絞り穴内に噴射される液体は、高圧で乱流になる。また、ミスト絞り穴からミスト状の液滴が噴射されると、ミスト絞り穴の出口側（ミスト状の液滴を噴射した側）で負圧状態になる。
ミスト絞り穴の出口側を負圧状態にすることで、各ミスト流路からミスト絞り穴内に噴射された高圧及び乱流の液体は、ミスト絞り穴の出口部分を通過する際、減圧による液体の溶け込んだ気体の気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
気泡の混入したミスト状の液滴は、ミスト絞り穴から外部に噴射される。
このように、請求項３では、ミストガイド及びミスト絞り穴によって、マイクロ単位の気泡（マイクロバブル）及びナノ単位の気泡（ウルトラファインバブル）が十分に混入、溶け込んでミスト状の液滴を外部に噴射できる。
液体容器に貯留した液体の中に圧縮気体を供給（導入）すると、圧縮気体の一部は、液体容器に貯留した液体中に溶け込む（液体中の溶解する）。気体が溶け込んだ液体が各ミスト流路を流れることで、十分なマイクロ単位の気泡及びナノ単位の気泡を液体に混入できる。
【００１４】
本発明に係る請求項４では、複数で最小のミスト流路（渦巻き面）によって、気体が溶け込んだ液体を十分なミスト状の液滴にできる。第１及び第２渦巻き面を点対称に配置することで、第１及び第２ミスト流路は、円錐上面にて対向（対峙）して配置される。
これにより、第１及び第２ミスト流路からミスト絞り穴内に噴射される高圧状態の液体を円錐上面にて相互に衝突することで、十分なマイクロ単位の気泡（マイクロバブル）及びナノ単位の気泡（ウルトラファインバブル）の混入、溶け込んだミスト状の液滴にできる。
【００１５】
本発明に係る請求項５では、圧縮気体供給手段、及び気体流路によって、圧縮気体を液体容器に貯留した液体の中に供給でき、圧縮気体の一部を液体容器に貯留した液体に溶け込ませることができる。
圧縮気体を液体容器に貯留した液体の中に供給した後、気体流路逆止弁にて圧縮気体及び液体が液体容器から圧縮供給手段へ流れることを阻止でき、液体容器の液体及び圧縮気体の逆流を防止できる。
【図面の簡単な説明】
【００１６】
【図１】第１実施形態のミストスプレー（ミストスプレー装置）を示す斜視図である。
【図２】第１実施形態のミストスプレー（ミストスプレー装置）を示す側面図である。
【図３】第１実施形態のミストスプレー（ミストスプレー装置）を示す前面図（正面図）である。
【図４】図３のＡ−Ａ断面図である（圧縮気体導入位置）。
【図５】図４の一部拡大断面図である。
【図６】図５の一部拡大図であって、ミスト側逆止弁（液体送出手段）、噴霧ノズル及びミスト発生手段を示す断面図である。
【図７】（ａ）は、図５の一部拡大図であって、トリガーレバー、液体送出ピストン及び復帰バネ（液体送出手段）を示す断面図、（ｂ）は、図５の一部拡大図であって、容器側逆止弁（液体送出 手段）を示す断面図である。
【図８】（ａ）は、噴霧ノズル、ノズルキャップ、及びガイド体（ガイド円板、ガイドミスト）を示す斜視図、（ｂ）は、ガイド体（ガイド円板、ミストガイド）を噴霧ノズル及びノズルキャップに挿入した底面図である。
【図９】（ａ）は、図８（ｂ）のＢ−Ｂ一部断面拡大図、（ｂ）は、図９（ａ）の一部拡大断面図である。
【図１０】（ａ）は、ガイド体（ガイド円板、ミストガイド）を示す上方斜視図、（ｂ）は、ガイド体（ガイド円板、ミストガイド）を示す下方斜視図、（ｃ）は、ガイド体（ガイド円板、ミストガイド）を示す上面図である。
【図１１】（ａ）は、ガイド体（ガイド円板、ミストガイド）を示す側面図、（ｂ）は、ガイド体（ガイド円板）を示す底面図、（ｃ）は、図１１（ａ）のＣ−Ｃ断面図である。
【図１２】第１実施形態のミストスプレー（ミストスプレー装置）において、トリガーレバーを初期位置（図４及び図５）から回動位置に手動操作（回動操作）した断面拡大図である。
【図１３】（ａ）は、図１２の一部拡大図であって、噴霧ノズル、ミスト発生手段（ミスト絞り穴及びミストガイド）、ミスト側逆止弁を示す断面図、（ｂ）は、図１２の一部拡大図であって、容器側逆止弁、液体容器（頭部）を示す断面図である。
【図１４】第１実施形態のミストスプレー（ミストスプレー装置）において、トリガーレバーを回動位置（図１２）から初期位置に戻した断面拡大図である。
【図１５】（ａ）は、図１４の一部拡大図であって、噴霧ノズル、ミスト発生手段（ミスト絞り穴及びミストガイド）、及びミスト側逆止弁を示す断面図、（ｂ）は、図１４の一部拡大図であって、容器側逆止弁、及び液体容器（頭部）を示す断面図である。
【図１６】第１実施形態のミストスプレー（ミストスプレー装置）において、再びトリガーレバーを初期位置（図１４）から回動位置に手動操作（回動操作）した断面拡大図である。
【図１７】（ａ）は、図１６の一部拡大図であって、噴霧ノズル、ミスト発生手段（ミスト絞り穴及びミストガイド）、及びミスト側逆止弁を示す断面図、（ｂ）は、図１６の一部拡大図であって、容器側逆止弁、及び液体容器（頭部）を示す断面図である。
【図１８】第２実施形態のミストスプレー（ミストスプレー装置）を示す斜視図である。
【図１９】第２実施形態のミストスプレー（ミストスプレー装置）を示す側面図である。
【図２０】第２実施形態のミストスプレー（ミストスプレー装置）を示す前面図（正面図）である。
【図２１】図２０のＤ−Ｄ断面図である。
【図２２】図２１の一部拡大図であって、スプレー本体、噴霧ノズル、ミスト発生手段、液体流路開閉弁、弁開閉手段、気体流路及び気体流路逆止弁を示す断面図である。
【図２３】図２１の一部拡大図であって、スプレー本体、噴霧ノズル、ミスト発生手段、液体流路開閉弁、弁開閉手段、気体流路及び気体流路逆止弁を示す断面図である。
【図２４】（ａ）は、弁開閉手段（弁開閉ボタン）を示す斜視図、（ｂ）は、弁開閉手段（弁開閉ボタン）を示す裏面図、（ｃ）は、弁開閉手段（弁開閉ボタン）を示す側面図、（ｄ）は、図２４（ｃ）のＥ−Ｅ断面図である。
【図２５】図２１の一部拡大図であって、噴霧ノズル、及びミスト発生手段（ミスト絞り穴及びミストガイド）を示す断面図である。
【図２６】（ａ）は、圧縮気体供給手段のピストン本体を示す正面斜視図、（ｂ）は、圧縮気体供給手段のピストン本体を示す背面斜視図である。
【図２７】図２１の一部拡大図であって、圧縮シリンダー、圧縮気体ピストン体、シールリング及び圧縮気体シャフト（圧縮気体供給手段）を示す断面図である。
【図２８】図２１の一部拡大図であって、圧縮気体シリンダー、シリンダー蓋（シリンダーキャップ）、圧縮気体シャフト、及び操作ハンドル（圧縮気体供給手段）を示す断面図である。
【図２９】図２１の一部拡大図であって、気体流路逆止弁を示す断面図である。
【図３０】（ａ）は、弁体止め筒を示す斜視図、（ｂ）は、弁体止め筒を示す側面図、（ｃ）は、図３０（ｂ）のＦ−Ｆ断面図である。
【図３１】図２１の一部拡大図であって、気体流路逆止弁の閉弁を示す断面図である。
【図３２】圧縮気体供給手段を示す一部拡大図である。
【図３３】第２実施形態のミストスプレーであって、圧縮気体供給手段を圧縮気体導入位置から気体初期位置にした断面図である。
【図３４】図２１の一部拡大図であって、気体流路逆止弁の開弁を示す断面図である。
【図３５】液体流路開閉弁の開弁を示す断面図である。
【図３６】図３５の一部拡大図であって、噴霧ノズル、ガイド体（ガイド円板、ミストガイド）、及液体流路開閉弁を示す断面図である。
【発明を実施するための形態】
【００１７】
第１実施形態、及び第２実施形態のミストスプレー（ミストスプレー装置）について、図１乃至図３６を参照して説明する。
【００１８】
＜第１実施形態＞
以下、第１実施形態のミストスプレーについて、図１乃至図１７を参照して説明する。
【００１９】
図１乃至図１７において、第１実施形態のミストスプレーＸ１（ミストスプレー装置）は、液体から気泡を混入したミスト状の液滴にして、ミスト状（霧状）の液滴を噴射する。
液体は、例えば、水であって、特に限定されない（以下、同様）。ミスト状の液滴は、液体に気体、例えば、空気のマイクロバブル又はウルトラファインバブルを混入したミスト状の液滴である（以下、同様）。
【００２０】
第１実施形態のミストスプレーＸ１（以下、「ミストスプレーＸ１」という）は、図１１乃至図１７に示すように、液体容器１、スプレー本体２（スプレーガン本体）、液体送出手段３、噴霧ノズル４（噴射ノズル）、及びミスト発生手段５を含んで構成される。
【００２１】
液体容器１は、図１乃至図４に示すように、液体Ｗ（例えば、水）を貯留する。液体容器１は、例えば、円筒状の胴部１Ａ、胴部１Ａの一端を閉塞する底部１Ｂ、及び胴部１Ａの他端に連続する頭部１Ｃ（首部）を有する。頭部１Ｃは、円筒状に形成され、胴部１Ａの内部に連通して、胴部１Ａの外部に開口される。頭部１Ｃは、雄ネジ部１Ｄを有し、雄ネジ部１Ｄは、頭部１Ｃの外周面に形成される。
液体容器１は、液体Ｗ（例えば、水）を頭部１Ｃから流入（供給）して、液体を貯留する。
【００２２】
スプレー本体２は、図１乃至図７に示すように、液体容器１に取付けられる。スプレー本体２は、キャップ６、液体流路ＷＲ及び雄ネジ部２Ｘを有する。
【００２３】
キャップ６は、図１乃至図５に示すように、円筒状に形成され、スプレー本体２の一端に配置される。キャップ６は、スプレー本体２と一体に形成される。
【００２４】
キャップ６は、雌ネジ部７を有する。雌ネジ部７は、キャップ６の内周面に形成される。
【００２５】
液体流路ＷＲは、図４乃至図７に示すように、液体流出穴８（液体流出路）、及び液体導出管９を備えて構成される。
【００２６】
液体流出穴８は、スプレー本体２に形成される。液体流出穴８は、スプレー本体２を貫通して、スプレー本体２の両端の夫々に開口される。液体流出穴８の一方の開口端は、キャップ６内に開口される。
液体流出穴８の他方の開口端８Ｂ側は、図５及び図６に示すように、拡径する大径穴部８Ｃを有し、大径穴部８Ｃは、スプレー本体２の他方の端に開口される。
なお、液体流出穴８の他方の開口端８Ｂは、液体通路ＷＲの他方の開口端である。
【００２７】
液体導出管９は、図４、図５及び図７（ｂ）に示すように、他方の開口端９Ｂ側をキャップ６内に配置して、液体流出穴８の一方の開口端８Ａに連通される。液体導出管９の一方の開口端９Ａ側には、フィルター１０が装着される。フィルター１０は、一方の開口端９Ａから液体導出管９内に、液体Ｗ（水）以外の異物が流入することを防止する。
なお、液体導出管９の一方の開口端９Ａは、液体流路ＷＲの一方の開口端である。
【００２８】
スプレー本体２において、雄ネジ部２Ｘは、図４乃至図６に示すように、液体流出穴８（液体流路ＷＲ）の他方の開口端８Ｂ側（大径穴部８Ｃ側）に配置される。雄ネジ部２Ｘは、液体流出穴８の他方の開口端８Ｂ側において、スプレー本体２の外周面に形成される。
【００２９】
スプレー本体２は、図４及び図５に示すように、液体導出管９（液体流路ＷＲ）を、頭部１Ｃから液体容器１の内部に挿入して配置される。液体導出管９は、一方の開口端９Ａ（フィルター１０）から液体容器１の内部に挿入される。液体導出管９は、一方の開口端９Ａ（液体流路ＷＲの一方の開口端）を、液体容器１に貯留した液体Ｗ（例えば、水）の中に浸漬して配置される。
【００３０】
スプレー本体２は、図４及び図５に示すように、キャップ６の雌ネジ部７に液体容器１（頭部１Ｃ）の雄ネジ部１Ｄを螺入（螺着）して、液体容器１に取付けられる。
スプレー本体２は、キャップ６及び液体容器１の頭部１Ｃの間にパッキンリング１１を配置して、液体容器１（頭部１Ｃ）に液密に取付けられる。パッキンリング１１は、合成ゴム、合成樹脂等の弾性材で形成され、キャップ６内に配置され、及び液体導出管９に外嵌される。
【００３１】
液体送出手段３は、図１乃至図７に示すように、スプレー本体２に配置される。液体送出手段３は、手動操作に伴って、液体容器１に貯留した液体を液体流路ＷＲ（液体導出管ＷＲ及び液体流出穴８）を通して、液体流路ＷＲの他方の開口端（液体流出穴８の他方の開口端８Ｂ）から流出（噴射）させる。
【００３２】
液体送出手段３は、図１乃至図７に示すように、液体送出ピストン穴１５（液体送出シリンダー）、トリガーレバー１６（トリガー）、液体送出ピストン１７、及び復帰バネ１８を備える。
【００３３】
液体送出ピストン穴１５は、図４、図５及び図７（ａ）に示すように、スプレー本体２に配置される。液体送出ピストン穴１５は、スプレー本体２に形成される。
液体送出ピストン穴１５は、スプレー本体２において、キャップ６側（液体容器１側）に配置され、液体流出穴８（液体流路ＷＲ）に所定の角度を隔てて形成される。液体送出ピストン穴１５は、ミストスプレーＸ１の前後方向ＦＲにおいて、スプレー本体２の前方側に開口される。液体送出ピストン穴１５は、所定の角度で傾斜しつつ、前後方向ＦＲに延在して、液体流出穴８（液体流路ＷＲ）に連通される。
液体送出ピストン穴１５は、液体絞り穴１９を通して、キャップ６側（液体容器１側）の液体流出穴８（液体流路ＷＲ）に連通される。
【００３４】
トリガーレバー１６は、図１乃至図５に示すように、スプレー本体２に回動自在に取付けられる。トリガーレバー１６は、前後方向ＦＲにおいて、液体送出ピストン穴１５の前方側に配置される。トリガーレバー１６は、ミストスプレーＸ１の上下方向ＵＤにおいて、スプレー本体２の及び液体容器１の間に配置される。
トリガーレバー１６（トリガー）は、ミストスプレーＸ１の左右方向ＬＲにおいて、各トリガー軸２０をスプレー本体２の各軸穴２１に挿入して、スプレー本体２に回動自在に取付られる。
これにより、トリガーレバー１６は、各トリガー軸２０を回動中心として、液体送出ピストン穴１５（液体送出ピストン１７）に向け、又は液体送出ピストン穴１５（液体送出ピストン１７）から離間する方向に回動（旋回）される。
トリガーレバー１６は、図４、図５及び図７（ａ）に示すように、押え板２２を有する。押え板２２は、ミストスプレーＸ１の前後方向ＦＲにおいて、液体送出ピストン穴１５に向けて延在される。
なお、ミストスプレーＸ１の上下方向ＵＤは、ミストスプレーＸ１前後方向ＦＲと直交する方向である。ミストスプレーＸ１の左右方向ＬＲは、ミストスプレーＸ１の前後方向ＦＲ及び上下方向ＵＤと直交する方向である。
【００３５】
液体送出ピストン１７は、図１乃至図５、及び図７（ａ）に示すように、液体送出ピストン穴１５（液体送出シリンダー）に摺動自在に配置される。液体送出ピストン１７は、トリガーレバー１６（押え板２２）に当接される。
液体送出ピストン１７は、送出ピストン本体２３、及び送出ピストンカバー２４を有する。
【００３６】
送出ピストン本体２３は、図７（ａ）に示すように、円筒状に形成され、大径ピストン筒部２５、小径ピストン筒部２６及びバネ保持筒部２７を一体に形成して有する。小径ピストン筒部２６は、大径ピストン筒部２５の一方の筒端から縮径して形成される。バネ保持筒部２７は、小径ピストン筒部２６に連続して形成され、大径ピストン筒部２５内に突出される。バネ保持筒部２７は、大径ピストン筒部２５の内周面に間隔を隔てて配置され、大径ピストン筒部２５の他方の筒端から突出される。バネ保持筒部２７は、大径ピストン筒部２５側の筒端を閉塞して形成される。
送出ピストン本体２３は、図７（ａ）に示すように、大径ピストン筒部２５（バネ保持筒部２７）から液体送出ピストン穴１５内に挿入される。送出ピストン本体２３は、液体送出ピストン穴１５に摺動自在に当接して、液体送出ピストン穴１５に配置される。
【００３７】
送出ピストンカバー２４は、図７（ａ）に示すように、円筒状に形成される。送出ピストンカバー２４は、一方の筒端を閉塞するカバー板２８、及び通気絞り穴２９を有する。通気絞り穴２９は、カバー板２８を貫通して、送出ピストンカバー２４内に連通される。
送出ピストンカバー２４は、他方の筒端から液体送出ピストン穴１５内に挿入される。送出ピストンカバー２４は、送出ピストン本体２３の小径ピストン筒部２６に外嵌されて、液体送出ピストン穴１５に配置される。
送出ピストンカバー２４は、図１乃至図５、及び図７（ａ）に示すように、液体送出ピストン穴１５から突出して、トリガーレバー１６の押え板２２に当接される。
【００３８】
復帰バネ１８（圧縮復帰バネ）は、図４、図５及び図７（ａ）に示すように、例えば、コイルバネ（圧縮コイルバネ）である。復帰バネ１８は、液体送出ピストン穴１５に配置される。復帰バネ１８は、液体送出ピストン穴１５において、液体送出ピストン１７及び液体流出穴８の間（液体流出穴８側）に配置される。
復帰バネ１８は、送出ピストン本体２３の大径ピストン筒部２５内に挿入され、及びバネ保持筒部２７に外嵌される。
復帰バネ１８は、一方のバネ端を小径ピストン筒部２６の筒端に当接し、及び他方のバネ端をスプレー本体２に当接して配置される。
これにより、復帰バネ１８は、バネ力（付勢力）によって、トリガーレバー１６及び液体送出ピストン１７を液体流出穴８（液体流路ＷＲ）から離間する方向に付勢する。
トリガーレバー１６は、図４及び図５に示すように、復帰バネ１８のバネ力によって付勢されると、スプレー本体２の突起部２Ａに当接されて、液体流出穴８（液体流路ＷＲ）から離間する方向への回動が規制される。
液体送出ピストン１７（送出ピストンカバー２４）は、図４、図５、及び図７（ａ）に示すように、復帰バネ１８のバネ力によって付勢されると、トリガーレバー１６の押え板２２に押付けられる。
【００３９】
液体送出手段３は、図４乃至図６、及び図７に示すように、ミスト側逆止弁３５、及び容器側逆止弁３６を備える。
【００４０】
ミスト側逆止弁３５は、図４乃至図６に示すように、大径穴部８Ｃ（ミストガイド５８）及び液体送出ピストン穴１５の間の液体流出穴８（液体流路ＷＲ）に配置される。
ミスト側逆止弁３５は、液体送出ピストン穴１５側から大径穴部８Ｃ（ミストガイド５８）への液体Ｗ（又は気体）の流れを許容する。
ミスト側逆止弁３５は、大径穴部８Ｃ（ミストガイド５８）から液体送出ピストン穴１５側への液体Ｗ（又は気体）の流れを阻止（防止）する。
ミスト側逆止弁３５は、図５及び図６に示すように、ミスト側弁座体３７、及びミスト側弁体３８を備える。
【００４１】
ミスト側弁座体３７は、図５及び図６に示すように、円筒状に形成される。ミスト側弁座体３７は、ミスト側弁座板３９、ミスト側弁座穴４０及び複数（３つ）のミスト側突起４１を有する。
ミスト側弁座板３９は、ミスト側弁座体３７の一方の開口端を閉塞して、ミスト側弁座体３７に一体に形成される。
ミスト側弁座穴４０は、ミスト側弁座板３９を貫通して、ミスト側弁座体３７内に連通される。
各ミスト側突起４１は、ミスト側弁座穴４０（ミスト側弁座板３９）に間隔を隔ててミスト側弁座体３７に配置される。各ミスト側突起４１は、ミスト側弁座体３７の周方向に等間隔を隔てて配置され、各ミスト側突起４１の間に液流れ隙間δを隔ててミスト側弁座体３７に一体に形成される。
各ミスト側突起４１は、ミスト側弁座体３７の内周面から筒中心線ａに向けて突出される。
【００４２】
ミスト側弁体３８は、図５及び図６に示すように、例えば、球体（球弁体）に形成される。ミスト側弁体３８は、ミスト側弁座体３７の内径より小さい球直径、及びミスト側弁座穴４０より大きい球直径の球体に形成される。
ミスト側弁体３８は、図５及び図６に示すように、ミスト側弁座体３７に挿入されて、ミスト側弁座穴４０及び各ミスト側突起４１の間に配置される。
これにより、ミスト側弁体３８は、ミスト側弁座穴４０内に挿入されて、ミスト側弁座穴４０を閉塞（閉弁）し、及び各ミスト側突起４１に当接して、ミスト側弁座穴４０を開口（開弁）する。
【００４３】
ミスト側逆止弁３５は、図５及び図６に示すように、ミスト側弁座板３９（ミスト側弁座穴４０）を液体送出ピストン穴１５側に向け、及びミスト側弁座体３７を液体流出穴８（液体流路ＷＲ）内に圧入して配置される。
ミスト側逆止弁３５は、液体流出穴８の他方の開口端８Ｂ（大径穴部８Ｃ）から、ミスト側弁座体３７を液体流出穴８（液体流路ＷＲ）に圧入して、大径穴部８Ｃに隣接して配置される。
【００４４】
容器側逆止弁３６は、図４、図５及び図７（ｂ）に示すように、液体送出ピストン穴１５及び液体導出管９の一方の開口端９Ａ（液体流路ＷＲの一方の開口端）の間の液体流出穴８（液体流路ＷＲ）に配置される。
容器側逆止弁３６は、液体送出ピストン穴１５側から液体導出管９の一方の開口端９Ａへの液体Ｗの流れを阻止（防止）する。
容器側逆止弁３６は、液体導出管９の一方の開口端９Ａから液体送出ピストン穴１５側への液体Ｗの流れを許容する。
容器側逆止弁３６は、図４、図５及び図７（ｂ）に示すように、容器側弁座体４２、及び容器側弁体４３を備える。
【００４５】
容器側弁座体４２は、図５及び図７（ｂ）に示すように、円筒状に形成される。容器側弁座体４２は、容器側弁座板４４、容器側弁座穴４５、複数（３つ）の容器側突起４６及び容器側フランジ板４７を有する。
容器側弁座板４４は、容器側弁座体４２の各筒端に間隔を隔てて、容器側弁座体４２内に配置される。容器側弁座板４４は、容器側弁座体４２内を閉塞して、容器側弁座体４２に一体に形成される。
容器側弁座穴４５は、容器側弁座板４４を貫通して、容器側弁座体４２の各筒端側に連通される。
各容器側突起４６は、容器側弁座穴４５（容器側弁座板４４）に間隔を隔てて容器側弁座体４２の一方の筒端側に配置される。各容器側突起４６は、容器側弁座体４２の周方向に等間隔を隔てて配置され、各容器側突起４６の間の液体流れ隙間σを隔てて容器側弁座体４２に形成される。
各容器側突起４６は、容器側弁座体４２の内周面から筒中心線ｂに向けて突出される。
【００４６】
容器側フランジ板４７は、図５及び図７（ｂ）に示すように、容器側弁座体４２の筒中心線ｂと直交する方向において、容器側弁座体４２の外周面から突出して、容器側弁座体４２に一体に形成される。
【００４７】
容器側弁体４３は、図５及び図７（ｂ）に示すように、例えば、球体（球弁体）に形成される。容器側弁体４３は、容器側弁座体４２の内径より小さい球直径、及び容器側弁座穴４５より大きい球直径の球体に形成される。
容器側弁体４３は、図５及び図７（ｂ）に示すように、容器側弁座体４２に挿入されて、容器側弁座穴４５（容器側弁座板４４）及び各容器側突起４６の間に配置される。
これにより、容器側弁体４３は、容器側弁座穴４５内に挿入されて、容器側弁座穴４５を閉塞（閉弁）し、各容器側突起４６に当接されて、容器側弁座穴４５を開口（開弁）する。
【００４８】
容器側逆止弁３６は、図５及び図７（ｂ）に示すように、各容器側突起４６を液体送出ピストン穴１５側に向けて、容器側弁座体４２を液体流出穴８（液体流路ＷＲ）に圧入して配置される。容器側逆止弁３６は、容器側弁座体４２を液体流出穴８の一方の開口端８Ａから液体流出穴８に挿入され、及び容器側フランジ板４７をキャップ６内に挿入して配置される。容器側逆止弁３６において、容器側フランジ板４７は、図５及び図７（ｂ）に示すように、スプレー本体２及びパッキンリング１１の間に配置され、スプレー本体２及び液体容器１の頭部１Ｃにて挟持される。
これにより、容器側逆止弁３６は、図５及び図７（ｂ）に示すように、容器側弁座体４２の他方の筒端側をキャップ６内、及び液体容器１の頭部１Ｃ内に突出して配置される。
【００４９】
液体流路ＷＲにおいて、液体導出管９は、他方の開口端９Ｂから頭部１Ｃ内に突出する容器側弁座体４２内に圧入して配置される。
これにより、液体導出管９は、図５及び図７（ｂ）に示すように、容器側弁座穴４５、及び各容器側突起４６の間の液体流出隙間σを通して、液体流出穴８に連通される。
【００５０】
液体送出手段３において、トリガーレバー１６は、一方向の回動（液体送出ピストン穴１５に向けた回転）に伴って、液体送出ピストン１７を復帰バネ１８のバネ力（付勢力）に抗して液体流路ＷＲ側（液体流出穴８側）に移動させて、液体送出ピストン穴１５内の気体、液体に圧を加える。
【００５１】
噴霧ノズル４（噴射ノズル）は、図１乃至図６、図８及び図９に示すように、ノズルキャップ４８に一体に形成される。
ノズルキャップ４８は、図８及び図９に示すように、一方の筒端４８Ａを閉塞した円筒状に形成され、ノズル穴４９及びノズル雌ネジ部５０を有する。ノズル穴４９は、ノズルキャップ４８の筒中心線ｃと同心に配置されて、ノズルキャップ４８に形成される。ノズル穴４９は、ノズルキャップ４８の筒中心線ｃの方向に延在して他方の筒端４８Ｂに開口される。ノズル雌ネジ部５０は、ノズルキャップ４８の他方の筒端４８Ｂ側に配置されて、ノズル穴４９の内周面に形成される。ノズル穴４９は、図９（ｂ）に示すように、穴直径：ｄＧを有する。
【００５２】
噴霧ノズル４は、ノズルキャップ４８の一方の筒端４８Ａに一体に形成される。噴霧ノズル４は、ノズル絞り穴５１、及びミスト絞り穴５５を有する。ノズル絞り穴５１は、噴霧ノズル４に形成され、ノズル穴４９と同心に配置される。ノズル絞り穴５１は、噴霧ノズル４の中心線ｄの方向に延在して、噴霧ノズル４の一方のノズル端４Ａに開口される。
【００５３】
ミスト発生手段５は、液体流路ＷＲ（液体流出穴８）から流出（噴射）される液体Ｗをミスト状の液滴にする。ミスト発生手段５は、液体Ｗから気泡を混入したミスト状の液滴にする。
ミスト発生手段５は、図４乃至図６、図８及び図９に示すように、噴霧ノズル４に配置され、ミスト絞り穴５５、ガイド体５６を備える。
【００５４】
ミスト絞り穴５５は、図９に示すように、噴霧ノズル４に形成される。ミスト絞り穴５５は、ノズル絞り穴５１（噴霧ノズル４）及びノズル穴４９（ノズルキャップ４８）の間に配置される。ミスト絞り穴５５は、ノズル絞り穴５１及びノズル穴４９と同心に配置される。ミスト絞り穴５５は、噴霧ノズル４の中心線ｄの方向において、他方のノズル端４Ｂに開口されて、ノズル穴４９（ノズルキャップ４８）に連通される。ミスト絞り穴５５は、ノズル穴４９から縮径して、噴霧ノズル４の中心線ｄの方向に延在される。
ミスト絞り穴５５は、図９に示すように、噴霧ノズル４の中心線ｄの方向において、ノズル穴４９（他方のノズル端４Ｂ、液体流出穴８側、液体流路ＷＲ側）から一方のノズル端４Ａに向けて段々に縮径する円錐穴（円錐台形穴）に形成される。ミスト絞り穴５５は、ノズル絞り穴５１に連通されて、噴霧ノズル４を貫通する。
ミスト絞り穴５５は、図９（ｂ）に示すように、噴霧ノズル４の中心線ｄの方向に穴長さ：ＭＬを有する。ミスト絞り穴５５は、図９（ｂ）に示すように、噴霧ノズル４の他方のノズル端４Ｂに穴直径：ｄＭ、一方のノズル端４Ａに穴直径：ｄＦ（穴直径ｄＭ＞穴直径ｄＦ）を有する。
【００５５】
ガイド体５６は、図８乃至図１１に示すように、ガイド円板５７、及びミストガイド５８を備える。
【００５６】
ガイド円板５７は、図８、図１０及び図１１に示すように、複数の液体流れ穴５９を有する。各液体流れ穴５９は、ガイド円板５７に形成される。各液体流れ穴５９は、ガイド円板５７の周方向に等間隔を隔てて配置される。各液体流れ穴５９は、ガイド円板５７の板中心線ｅの方向において、ガイド円板５７を貫通する。ガイド円板５７は、ミスト絞り穴５５の穴直径：ｄＭより大きく、及びノズル穴４９の穴直径：ｄＧより小さい円直径：ＤＢに形成される。
【００５７】
ミストガイド５８は、図８乃至図１１に示すように、円錐渦巻き状（円錐螺旋状、又は円錐台の渦巻き状）に形成される。ミストガイド５８は、図９乃至図１１に示すように、円錐上面５８Ａ、円錐底平面５８Ｂ、円錐側面５８Ｃ及び複数の渦巻き面であって、例えば、第１及び第２渦巻き面６０，６１（螺旋状面）を備える。
【００５８】
第１及び第２渦巻き面６０，６１は、同一渦巻き状に形成される。第１及び第２渦巻き面６０，６１は、円錐側面５８Ｃに交差して円錐底平面５８Ｂ及び円錐上面５８Ａの間に配置される。
第１及び第２渦巻き面６０，６１は、ミストガイド５８の円錐中心線Ｌを対称点として点対称に配置される。第２渦巻き面６１は、円錐中心線Ｌを中心として、第１渦巻き面６０の位置から角度：１８０度だけ回転して配置される。
第１及び第２渦巻き面６０，６１は、円錐底平面５８Ｂから円錐上面５８Ａに向けて縮径しつつ渦巻き状に形成されて、円錐上面５８Ａまで延在される。
第１及び第２渦巻き面６０，６１は、円錐上面５８Ａにおいて、相互に対向して配置される。
【００５９】
ミストガイド５８は、図１１（ｃ）に示すように、円錐中心線Ｌの方向にガイド高さ：ＧＬを有する。ガイド高さ：ＧＬは、各ミスト絞り穴５５の穴長：ＭＬより低くされる。
ミストガイド５８は、図１０（ｃ）に示すように、円錐底平面５８Ｂの最大底幅：ＧＨを有する。最大底幅：ＧＨは、ミスト絞り穴５５の穴直径：ｄＭ、及びガイド円板の円直径：ＤＢより幅狭である。
【００６０】
ガイド体５６において、ミストガイド５８は、図８及び図９に示すように、円錐中心線Ｌをガイド円板５７の板中心線ｅに一致して、ガイド円板５７と同心に配置される。ミストガイド５８は、円錐底平面５８Ｂをガイド円板５７の一方の板表面５７Ａに当接して、ガイド円板５７上（板表面５７Ａ上）に載置される。ミストガイド５８及びガイド円板５７は、一体に形成される。
これにより、ミストガイド５８は、ガイド円板５７の板中心線ｅ（円錐中心線Ｌ）の方向において、ガイド円板５７の一方の板表面５７Ａから突出して配置される。ミストガイド５８は、各液体流れ穴５９を塞ぐことなく、ガイド円板５７の一方の板表面５７Ａ上に載置される。
各液体流れ穴５９は、図８乃至図１１に示すように、ミストガイド５８の外周りに配置されて、ガイド円板５７を貫通する。
【００６１】
ミスト発生手段５において、ガイド体５６（ガイド円板５７及びミストガイド５８）は、図８及び図９に示すように、噴霧ノズル４内及びノズルキャップ４８内に組込まれる。ガイド体５６は、ミストガイド５８の円錐上面５８Ａからノズルキャップ４８のノズル穴４９内に挿入される。
ガイド体５６は、図９に示すように、円錐中心線Ｌを噴霧ノズル４の中心線ｄに一致して、ミスト絞り穴５５と同心に配置される。ガイド体５６は、ガイド円板５７をノズルキャップ４８のノズル穴４９内に挿入し、及びノズル穴４９内において、板表面５７Ａを噴霧ノズル４の他方のノズル端４Ｂに当接して配置される。
ガイド体５６は、図９に示すように、ミストガイド５８をミスト絞り穴５５内に挿入して配置される。
ミストガイド５８は、円錐上面５８Ａからミスト絞り穴５５内に挿入される。ミストガイド５８は、円錐中心線Ｌをミスト絞り穴５５の中心線ｄ（噴霧ノズル４の中心線ｄ）に一致して、ミスト絞り穴５５内に配置される。ミストガイド５８は、円錐側面５８Ｃ及びミスト絞り穴５５の円錐内周面５５Ａの間に隙間を隔てて、円錐上面５８Ａからミスト絞り穴５５内に挿入される。
これにより、ミストガイド５８は、第１及び第２渦巻き面６０，６１、ミスト絞り穴５５の円錐内周面５５Ａ、及び円錐側面５８Ｃの間に、渦巻き状の第１及び第２ミスト流路β１，β２を形成して、ミスト絞り穴５５内に装着される。ミストガイド５８及びミスト絞り穴５５は、第１及び第２渦巻き面６０，６１に沿って渦巻き状（螺旋状）の第１及び第２ミスト流路β１，β２を形成する。第１及び第２ミスト流路β１，β２は、図９（ｂ）に示すように、第１及び第２渦巻き面６０，６１、ミスト絞り穴５５の円錐内周面５５Ａ及びミストガイド５８の円錐側面５８Ｃの間に渦巻き状に形成される。第１及び第２ミスト流路β１，β２は、噴霧ノズル４の中心線ｄの方向において、ミストガイド５８の円錐底平面５８Ｂ（ガイド円板５７の板表面５７Ａ）から円錐上面５８Ａに渦巻き状に延在されて、ミスト絞り穴５５内、及び各液体流れ穴５９内に開口される。第１及び第２ミスト流路β１，β２は、各液体流れ穴５９を通して、ノズル穴４９に連通される。第１及び第２ミスト流路β１，β２は、噴霧ノズル４のノズル絞り穴５１に連通される。
【００６２】
噴霧ノズル４、ミスト発生手段５及びノズルキャップ４８は、図９に示すように、ガイド体５６（ガイド円板５７及びミストガイド５８）をノズル穴４９及びミスト絞り穴５５内に組込んでノズルユニットＮＵを構成する。
【００６３】
ノズルユニットＮＵ（噴霧ノズル４、ミスト発生手段５及びノズルキャップ４８）は、図１乃至図６に示すように、スプレー本体２に配置される。
ノズルユニットＮＵは、図５及び図６に示すように、水止め体６３（水止め部材）を介在してスプレー本体２に取付けられる。
【００６４】
水止め体６３は、図５及び図６に示すように、円筒状に形成され、水止め板６４及び水止め絞り穴６５を有する。水止め板６４は、水止め体６３の一方の筒端を閉塞して、水止め体６３に一体に形成される。水止め絞り穴６５は、水止め体６３の筒中心線ｆの方向において、水止め板６４を貫通して、水止め体６３内に連通される。
水止め体６３は、図６に示すように、水止め板６４（水止め絞り穴６５）から液体流出穴８（液体流路ＷＲ）の大径穴部８Ｃ内に圧入（挿入）されて、スプレー本体２に配置される。水止め体６３は、ミスト側弁座体３７（ミスト側逆止弁３５）と同心に配置され、水止め絞り穴６５をミスト側弁座体３７内に連通する。
これにより、水止め体６３の内部は、水止め絞り穴６５、及びミスト側逆止弁３５（ミスト側弁座体３７及びミスト側弁体３８）を通して、液体流出穴８（液体流路ＷＲ）に連通される。
【００６５】
ノズルユニットＮＵ（噴霧ノズル４、ミスト発生手段５及びノズルキャップ４８）は、図４乃至図６に示すように、液体流出穴８（液体流路ＷＲ）の他方の開口端８Ｂ側において、ノズルキャップ４８をスプレー本体２に外嵌して、スプレー本体２に取付けられる。
ノズルユニットＮＵは、ノズルキャップ４８のノズル雌ネジ部５０にスプレー本体２の雄ネジ部２Ｘを螺着し、及び水止め体６３の他方の筒端側をノズルキャップ４８のノズル穴４９内に挿入して配置される。ノズルユニットＮＵは、ノズルキャップ４８を回動して、スプレー本体２の雄ネジ部２Ｘをノズル雌ネジ部５０に螺入して、スプレー本体２に固定される。
ガイド体５６は、図５及び図６に示すように、ノズル穴４９内のガイド円板５７を水止め体６３の他方の筒端に当接して、水止め体６３に支持される。
これにより、ノズルユニットＮＵにおいて、噴霧ノズル４（ノズル絞り穴５１）は、図６に示すように、ミスト絞り穴５５（第１及び第２ミスト流路β１，β２）、ガイド円板５７の各液体流れ穴５９、及び水止め体６３を通して、液体流出穴８（液体流路ＷＲ）の他方の開口端８Ｂに連通される。
ノズルユニットＮＵにおいて、ミスト絞り穴５５（ミスト発生手段５）は、図６に示すように、ガイド円板５７の各液体流れ穴５９、水止め体６３内部、水止め絞り穴６５、及びミスト側逆止弁３５（ミスト側弁座体３７及びミスト側弁体３８）を通して、液体流出穴８（液体流路ＷＲ）に連通される。ノズルユニットＮＵにおいて、ミスト絞り穴５５は、図６に示すように、液体流出穴８側（液体流路ＷＲ側）から縮径しつつ噴霧ノズル４を貫通する円錐穴に形成される。
ノズルニットＮＵにおいて、第１及び第２ミスト流路β１，β２は、図６に示すように、ミスト絞り穴５５内に開口され、ガイド体５６の各液体流れ穴５９、水止め体６３内、水止め絞り穴６５及びミスト側逆止弁３５（ミスト側弁座体３７及びミスト側弁体３８）を通して、液体流出穴８（液体流路ＷＲ）に連通される。
【００６６】
次に、ミストスプレーＸ１（ミストスプレー装置）によるミスト状の液滴の噴射について、図１乃至図５、及び図１２乃至図１７を参照して説明する。
なお、説明の便宜上、液体送出手段３のトリガーレバー１６は、図４及び図５に示すように、スプレー本体２の突起部２Ａに当接して配置されている（以下、「初期位置Ｐ１」という）。
【００６７】
ミストスプレーＸ１において、先ず、トリガーレバー１６に人の指を掛けて、トリガーレバー１６を液体容器１側（液体送出ピストン１７側）に引いて回動する。トリガーレバー１６は、図１乃至図４、図５及び図１２に示すように、トリガー軸２０を中心として、初期位置Ｐ１から一方向に回動（旋回）される。トリガーレバー１６は、初期位置Ｐ１から、復帰バネ１８のバネ力（付勢力）に抗して液体送出ピストン１７に向けて回動（旋回）される。
これにより、液体送出ピストン１７（送出ピストン本体２３及び送出ピストンカバー２４）は、復帰バネ１８のバネ力（付勢力）に抗して、送出ピストン本体２３及び送出ピストンカバー２４を液体流出穴８側（液体流路ＷＲ側）に移動する。
送出ピストン本体２３は、復帰バネ１８のバネ力（付勢力）に抗して、液体送出ピストン穴１５を摺動して、液体流出穴８側（液体流路ＷＲ側）に移動される。
トリガーレバー１６は、図１２に示すように、初期位置Ｐ１から一方向に回動されてた位置（以下、「回動位置Ｐ２」という）にされる。
【００６８】
このように、トリガーレバー１６を一方向に回動（旋回）して、液体送出ピストン１７（送出ピストン本体２３）を摺動すると、送出ピストン本体２３は、液体送出ピストン穴１５内の気体（空気）に圧を加える。液体送出ピストン穴１５内で圧を加えられた気体（以下、「ピストン側圧縮気体ＰＡ」という）は、図１２及び図１３（ｂ）に示すように、液体送出ピストン穴１５から液体絞り穴１９を通って、容器側（容器側逆止弁３６側）の液体流出穴８（液体流路ＷＲ）に噴出（流出）され、各容器側突起４６間の各液体流れ隙間σから容器側逆止弁３６内（容器側弁座体４２内）に流出される。
これにより、容器側逆止弁３６において、容器側弁体４３は、図１３（ｂ）に示すように、ピストン側圧縮気体ＰＡ（ピストン側圧縮空気）によって、容器側弁座板４４側（容器側弁座穴４５側）に移動される。容器側弁体４３（球弁体）は、容器側弁座板４４に当接して、容器側弁座穴４５を閉塞（閉弁）する。
ピストン側圧縮気体ＰＡは、容器側逆止弁３６の閉弁によって、液体導出管９の一方の開口端９Ａ（液体流路ＷＲの一方の開口端）の流れが阻止（防止）されて、液体容器１内に流入（逆流）しない。
【００６９】
ピストン側圧縮気体ＰＡは、図１２及び図１３（ａ）に示すように、液体送出ピストン穴１５からミストガイド側（ミスト側逆止弁３５側）の液体流出穴８（液体流路ＷＲ）に噴射（流出）され、ミスト側弁座穴４０からミスト側逆止弁３５内（ミスト側弁座体３７内）に流出される。
これにより、ミスト側逆止弁３５において、ミスト側弁体３８は、図１３（ａ）に示すように、ピストン側圧縮気体ＰＡによって、各ミスト側突起４１側（ミストガイド５８側）に移動される。ミスト側弁体３８（球弁体）は、図１３（ａ）に示すように、各ミスト側突起４１に当接して、ミスト側弁座穴４０を開口（開弁）する。
ピストン側圧縮気体ＰＡは、ミスト側逆止弁３５の開弁によって、ミスト側逆止弁３５のミスト側弁座穴４０からミスト側弁座体３７内に流入され、各ミスト側突起４１間の各液体流れ隙間δ、水止め絞り穴６５を通って水止め体６３内に噴射（流出）される。
水止め体６３内に噴射されたピストン側圧縮気体ＰＡは、ガイド体５６の各液体流れ穴５９、第１及び第ミスト流路β１，β２（ミスト絞り穴５５内）を通って、噴霧ノズル４のノズル絞り穴５１から噴射される。
【００７０】
続いて、ミストスプレーＸ１において、トリガーレバー１６から人の指を離す（トリガーレバー１６の引きを解除する）。
トリガーレバー１６は、復帰バネ１８のバネ力（付勢力）によって、他方向に回動されて、回動位置Ｐ２（図１２参照）から初期位置Ｐ１（図１４参照）にされる。
トリガーレバー１６を回動位置Ｐ２から初期位置Ｐ１にすると、液体送出ピストン１７（送出ピストン本体２３及び送出ピストンカバー２４）は、復帰バネ１８のバネ力（付勢力）によって、液体送出ピストン穴１５を摺動して、液体流出穴８（液体流路ＷＲ）から離間する方向に移動される。
液体送出ピストン１７を液体流出穴８（液体流路ＷＲ）から離間する方向に移動すると、液体送出ピストン穴１５は負圧（負圧状態）となる。
これにより、ミストスプレーＸ１の外気ＰＯ（空気）は、図１４及び図１５（ａ）に示すように、噴霧ノズル４のノズル絞り穴５１、第１及び第２ミスト流路β１，β２（ミスト絞り穴５５）、各液体流れ穴５９、水止め絞り穴６５を通って、ミスト側逆止弁３５内（ミスト側弁座体３７内）に流入される。ミスト側弁座体３７内に流入した外気ＰＯ（空気）は、各ミスト側突起４１間の各液体流れ隙間δからミスト側弁体３８（球弁体）に作用（噴射）される。
これにより、ミスト側逆止弁３５において、ミスト側弁体３８は、外気ＰＯによって、各ミスト側突起４１からミスト側弁座板３９側（ミスト側弁座穴４０側）に移動される。ミスト側弁体３８は、ミスト側弁座板３９に当接して、ミスト側弁座穴４０を閉塞（閉弁）する。
噴霧ノズル４（ノズル絞り穴５１）から流入した外気ＰＯは、ミスト側逆止弁３５の閉弁によって、液体送出ピストン穴１５側の液体流出穴８（液体流路ＷＲ）の流れが阻止（防止）されて、液体送出ピストン穴１５内（液体容器１内）に流入（逆流）しない。
【００７１】
液体送出ピストン穴１５を負圧にすると、液体容器１に貯留した液体Ｗは、図１４及び図１５（ｂ）に示すように、液体送出ピストン穴１５内に呼び込まれ、一方の開口端９Ａから液体導出管９を通って、容器側逆止弁３６内（容器側弁座体４２内）に流入される。容器側弁座体４２に流入した液体Ｗは、容器側弁座穴４５を通って、容器側弁体４３に噴射（作用）される。
これにより、容器側逆止弁３６において、容器側弁体４３（球弁体）は、図１５（ｂ）に示すように、容器側弁座体４２内に流入した液体Ｗによって、各容器側突起４６側（液体送出ピストン穴１５側）に移動される。容器側弁体４３は、各容器側突起４６に当接して、容器側弁座穴４５を開口（開弁）する。
容器側逆止弁３６内に流入した液体Ｗは、図１５（ｂ）に示すように、各容器側突起４６間の各液体流れ隙間σから液体送出ピストン穴１５側の液体流出穴８内（液体流路ＷＲ内）に流出し、液体絞り穴１９を通って液体送出ピストン穴１５内に流出される。
これにより、液体送出ピストン穴１５、及び液体容器１側の液体流出穴８、液体導出管９には、液体容器１に貯留した液体Ｗで満たされる。
【００７２】
続いて、再び、トリガーレバー１６を液体送出ピストン１７側に引いて回転する。トリガーレバー１６は、図１乃至図３、及び図１６に示すように、トリガー軸２０を中心として、初期位置Ｐ１から一方向に回動（旋回）される。トリガーレバー１６は、初期位置Ｐ１から、復帰バネ１８のバネ力（付勢力）に抗して液体送出ピストン１７に向けて回転（旋回）される。
これにより、液体送出ピストン１７は、復帰バネ１８のバネ力（付勢力）に抗して、送出ピストン本体２３及び送出ピストンカバー２４を液体流出穴８側（液体流路ＷＲ側）に移動する。
送出ピストン本体２３は、復帰バネ１８のバネ力（付勢力）に抗して、液体送出ピストン穴１５を摺動して、液体流出穴８側（液体流路ＷＲ側）に移動される。
トリガーレバー１６は、図１６に示すように、初期位置Ｐ１から回動位置Ｐ２にされる。
【００７３】
このように、トリガーレバー１６は、一方向の回動に伴って、液体送出ピストン１７を復帰バネ１８のバネ力（付勢力）に抗して、液体送出ピストン１７（送出ピストン本体２３）を液体流出穴８側（液体流路ＷＲ側）に移動させて、液体送出ピストン穴１５内の液体Ｗに圧を加える。
【００７４】
液体送出ピストン穴１５内の液体Ｗは、液体送出ピストン１７による圧を受けると、図１６及び図１７（ｂ）に示すように、液体絞り穴１９から液体容器１側（容器側逆止弁３６側）の液体流出穴８（液体流路ＷＲ）に噴出（流出）され、各液体流れ隙間σを通って容器側逆止弁３６内（容器側弁座体４２内）に流入される。容器側逆止弁３６内（容器側弁座体４２内）に流入した液体Ｗは、容器側弁体４３に噴射（作用）されて、容器側弁体４３を各容器側突起４６から容器側弁座板４４側（容器側弁座穴４５側）に移動する。
容器側弁体４３（球弁体）は、容器側弁座体４２内に流入する液体Ｗによって、容器側弁座板４４に当接して、容器側弁座穴４５を閉塞（閉弁）する。
液体送出ピストン穴１５からの液体Ｗは、容器側逆止弁３６の閉弁によって、液体導出管９の一方の開口端９Ａ（液体流路ＷＲの一方の開口端）の流れが阻止（防止）されて、液体容器１内に流入（逆流）しない。
【００７５】
液体送出ピストン穴１５内の液体Ｗは、液体送出ピストン１７（送出ピストン本体２３）による圧を受けると、図１６及び図１７（ａ）に示すように、液体送出ピストン穴１５からミストガイド５８側（ミスト側逆止弁３５側）の液体流出穴８に噴出（流出）され、ミスト側弁座穴４０からミスト側逆止弁３５内（ミスト側弁座体３７内）に噴出（流出）される。
これにより、ミスト側逆止弁３５において、ミスト側弁体３８は、図１７（ａ）に示すように、液体送出ピストン穴１５からの液体Ｗによって、各ミスト側突起４１側（ミストガイド５８側）に移動される。ミスト側弁体（球弁体）は、図１７（ａ）に示すように、各ミスト側突起４１に当接して、ミスト側弁座穴４０を開口（開弁）する。
液体送出ピストン穴１５からの液体Ｗは、ミスト側逆止弁３５の開弁によって、ミスト側弁座穴４０からミスト側弁座体３７内に流入され、各液体流れ隙間δ、水止め絞り穴５９を通して水止め体６３内に噴射（流出）される。
水止め体６３内に流出した液体Ｗは、図１７（ａ）に示すように、ガイド円板５７の各液体流れ穴５９と通って、ミスト絞り穴５５に流入する。
【００７６】
ミスト絞り穴５５内に流入した液体Ｗは、図１７（ａ）に示すように、渦巻き状の第１及び第２ミスト流路β１，β２を流れ、ミスト絞り穴５５内に流出される。更に、ミスト絞り穴５５、及びノズル絞り穴５１を通って、噴霧ノズル４からミスト状の液滴を外部に噴霧（噴射）する。
液体Ｗは、渦巻き状の第１及び第２ミスト流路β１，β２を流れることによって昇圧されて、第１及び第２ミスト流路β１，β２からミスト絞り穴５５内（ノズル絞り穴５１内）に噴射される。
これにより、第１及び第２ミスト流路β１，β２からミスト絞り穴５５に噴射される液体Ｗは、高圧で乱流となる。また、ノズル絞り穴５１（ミスト絞り穴５５）からミスト状の液滴が噴射されると、ノズル絞り穴５１（ミスト絞り穴５５）の出口側（ミスト状の液滴を噴射した側）で負圧状態となる。
ミスト絞り穴５５（ノズル絞り穴５１）の出口側を負圧状態にすることで、第１及び第２ミスト流路β１，β２からミスト絞り穴５５内に噴射された高圧及び乱流の液体は、ミスト絞り穴５５の出口部分を通過する際、減圧による気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
また、液体Ｗは、ミストガイド５８の円錐上面５８Ａにおいて、相互に対向する第１及び第２ミスト流路β１，β２からミスト絞り穴５５内に噴射されて、衝突されて、十分な気泡を混入したミスト状の液滴となる。気泡を混入したミスト状の液滴は、ミスト絞り穴５５を通って、噴霧ノズル４のノズル絞り穴５１から噴射される。ミスト絞り穴５５は、気泡を混入したミスト状の液滴をノズル絞り穴５１から外部に噴射する。
これにより、ミスト発生手段５は、液体流出穴８（液体流路ＷＲ）から流出された液体Ｗから、気泡を混入したミスト状の液滴にする。
【００７７】
このように、ミストスプレーＸ１（ミストスプレー装置）は、トリガーレバー１６を初期位置Ｐ１から回動位置Ｐ２へ、及び回転位置Ｐ２から初期位置Ｐ１へ手動操作（回動動作）を繰返すことで、噴霧ノズル４からミスト状の液滴を噴射する。
【００７８】
ミストスプレーＸ１において、液体送出手段３は、トリガーレバー１６（トリガー）をスプレー本体２に回動自在に取付けて、トリガーレバー１６の回動により液体送出ピストン体１７を移動させて、液体送出ピストン穴１５内の液体Ｗ（気体）に圧を加え、液体容器１に貯留した液体Ｗを液体流路ＷＲを通して流出（噴出）する構成であるが、これに限定されるものでなく、手動操作に伴って、液体容器１に貯留した液体Ｗを液体流路ＷＲの他方の開口端から噴出（流出）できる構成であれば良い。
【００７９】
＜第２実施形態＞
以下、第２実施形態のミストスプレーについて、図１８乃至図３６を参照して説明する。
なお、図１８乃至図３６において、図１乃至図１７と同一符号は、同一部材、同一構成であるので、その詳細な説明は省略する。
【００８０】
図１８乃至図３６において、第２実施形態のミストスプレーＸ２（ミストスプレー装置）は、気体が溶け込んだ液体Ｗから、気泡を混入したミスト状の液滴にして、ミスト状（霧状）の液滴を噴射する。
【００８１】
第２実施形態のミストスプレーＸ２（以下、「ミストスプレーＸ２」という）は、図１８乃至図３０に示すように、液体容器１、スプレー本体７２（スプレーガン本体）、液体流路開閉弁７３、弁開閉手段７４、噴霧ノズル４、ミスト発生手段５、気体流路ＡＲ、圧縮気体供給手段７５、気体流路逆止弁７６を含んで構成される。
【００８２】
ミストスプレーＸ２において、液体容器１は、図１乃至図４で説明したと同様に、胴部１Ａ．底部１Ｂ及び頭部１Ｃ（雄ネジ部１Ｄ）を有する。底部１Ｂは、図１８乃至図２１に示すように、ミストスプレーＸ２の上下方向ＵＤにおいて、下方側に突出する半球状に形成され、半球状の頂点側に底平面１ｆを有する。
ミストスプレーＸ２において、液体容器１は、液体Ｗを貯留し、及び圧縮気体ＰＡが液体Ｗの中に供給される。
【００８３】
スプレー本体７２は、図１８乃至図２３に示すように、液体容器１を密封（気密）して液体容器１に取付けられる。スプレー本体７２は、本体シリンダー８１、操作体８２、容器側キャップ８３、ミスト側キャップ８４及び液体流路ＷＴを有する。
【００８４】
本体シリンダー８１は、図２１、図２２及び図２５に示すように、ミストスプレーＸ２の前後方向ＦＬに筒中心線Ａを向けて配置される。
本体シリンダー８１は、案内板８５及び雄ネジ部８１Ｃを有する。案内板８５は、本体シリンダー８１の一方の筒開口端８１Ａを閉塞して、本体シリンダー８１に一体に形成される。雄ネジ部８１Ｃは、図２５に示すように、本体シリンダー８１の他方の筒開口端８１Ｂ側に配置される。雄ネジ部８１Ｃは、本体シリンダー８１の外周面に形成される。
【００８５】
操作体８２は、図２１乃至図２３に示すように、ミストシリンダーＸ２の前後方向ＦＬにおいて、本体シリンダー８１に並設して、本体シリンダー８１に一体に形成される。操作体８２は、図２１乃至図２３に示すように、収納凹部８６及び弁軸穴８７を有する。
【００８６】
収納凹部８６は、図１８、図２１乃至図２３に示すように、矩形状（長方形）の凹所に形成される。収納凹部８６は、図２２及び図２３に示すように、ミストスプレーＸ２の前後方向ＦＲにおいて、案内板８５に隣接して形成される。収納凹部８６は、ミストスプレーＸ２の上下方向ＵＤにおいて、操作体８２の上面８２Ａに開口して、操作体８２に形成される。収納凹部８６は、ミストスプレーＸ２の上下方向ＵＤにおいて、凹深さを有して形成され、及び凹所底板８６Ａを有する。
【００８７】
弁軸穴８７は、図２２及び図２３に示すように、収納凹部８６の凹所底板８６Ａ側に配置されて、案内板８５に形成されている。弁軸穴８７は、ミストスプレーＸ２の前後方向ＦＲ（本体シリンダー８１の筒中心線Ａの方向）において、案内板８５を貫通して、本体シリンダー８１内及び収納凹部８６内に開口される。
ミストスプレーＸ２の上下方向ＵＤは、ミストスプレーＸ２の前後方向ＦＲと直交する方向である（以下、同様）。ミストスプレーＸ２の上下方向ＵＤは、本体シリンダー８１の筒中心線Ａの方向と直交する方向である。
【００８８】
容器側キャップ８３は、図１８乃至図２３に示すように、円筒状に形成される。容器側キャップ８３は、ミストスプレーＸ２の上下方向ＵＤにおいて、操作体８２（収納凹部８６）の下方側に配置される。容器側キャップ８３は、筒中心線ＢをミストプレーＸ２の上下方向ＵＤに向けて配置され、操作体８２に一体に形成される。容器側キャップ８３は、雌ネジ部８８を有し、雌ネジ部８８は、容器側キャップ８３の内周面に形成される。
【００８９】
ミスト側キャップ８４は、図１８乃至図２２、及び図２５に示すように、円筒状に形成される。ミスト側キャップ８４は、大径キャップ部８９及び小径キャップ部９０を有する。小径キャップ部９０は、大径キャップ部８９の一方の筒開口端に連続して一体形成される。
大径キャップ部８９は、雌ネジ部９１を有し、雌ネジ部９１は、大径キャップ部８９の内周面に形成される。小径キャップ部９０は、雄ネジ部９２を有し、雄ネジ部９２は、小径キャップ部９０の外周面に形成される。
【００９０】
ミスト側キャップ８４は、図１８乃至図２２、及び図２５に示すように、本体シリンダー８１と同心に配置される。ミスト側キャップ８４は、大径キャップ部８９内に本体シリンダー８１の他方の筒開口端８１Ｂ側を挿入して、本体シリンダー８１に配置される。ミスト側キャップ８４は、大径キャップ部８９の雌ネジ部９１に、本体シリンダー８１の雄ネジ部８１Ｃを螺入（螺着）して、本体シリンダー８１に取付けられる。
ミスト側キャップ８４は、図２２及び図２５に示すように、大径キャップ部８９及び本体シリンダー８１の他方の筒開口端８１Ｂの間に弾性のパッキンリング９６を介在して、本体シリンダー８１に取付けられる。パッキンリング９６は、ミスト側キャップ８４の回動によって、本体シリンダー８１の他方の筒開口端８１Ｂに押圧されて、本体シリンダー８１の他方の筒開口端８１Ｂを液密に閉塞する。
【００９１】
液体流路ＷＴは、図２１、図２２、図２３及び図２５に示すように、液体導出筒９３、液体流出穴９４、及び液体導出管９５を有する。
【００９２】
液体導出筒９３は、図２１乃至図２３に示すように、円筒状に形成される。液体導出筒９３は、操作体８２に一体に形成される。液体導出筒９３は、ミストスプレーＸ２の上下方向ＵＤにおいて、操作体８２から容器側キャップ８３内に突出して配置される。液体導出筒９３は、容器側キャップ８３の内周面（雌ネジ部８８）に間隔を隔て配置される。
【００９３】
液体流出穴９４は、図２１乃至図２３、及び図２５に示すように、スプレー本体７２（本体シリンダー８１、操作体８２及びミスト側キャップ８４）に形成される。
液体流出穴９４は、本体シリンダー８１のシリンダー穴部９４Ａ、容器側液体絞り穴部９４Ｂ、ミスト側液体絞り穴部９４Ｃ、及び大径穴部９４Ｄを有して構成される。
【００９４】
容器側液体絞り穴部９４Ｂは、図２２及び図２３に示すように、ミストスプレーＸ２の上下方向ＵＤにおいて、操作体８２の収納凹部８６の下側に配置される。容器側液体絞り穴部９４Ｂは、ミストスプレーＸ２の前後方向ＦＲにおいて、案内板８５及び操作体８２を貫通して、シリンダー穴部９４Ａ及び液体導出筒９３に開口される。
これにより、液体導出筒９３は、図２２及び図２３に示すように、容器側液体絞り穴部９４Ｂを通して、シリンダー穴部９４Ａに連通される。
【００９５】
ミスト側液体絞り穴部９４Ｃは、図２２、図２３及び図２５に示すように、本体シリンダー８１と同心に配置される。ミスト側液体絞り穴部９４Ｃは、ミストスプレーＸ２の前後方向ＦＲ（本体シリンダー８１の筒中心線Ａの方向）において、ミスト側キャップ８４の大径キャップ部８９を貫通して、シリンダー穴部９４Ａに開口（連通）される。
【００９６】
大径穴部９４Ｄは、図２２、図２３及び図２５に示すように、シリンダー穴部９４Ａ（ミスト側液体絞り穴部９４Ｂ）と同心に配置される。大径穴部９４Ｄは、ミスト側キャップ８４の小径キャップ部９０に形成される。大径穴部９４Ｄは、ミストスプレーＸ２の前後方向ＦＲに延在して、ミスト側液体絞り穴部９４Ｃに連通され、及びスプレー本体７２の端であって、小径キャップ部９０の一方の筒端に開口される。
これにより、大径穴部９４Ｄは、ミスト側液体絞り穴部９４Ｂを通して、シリンダー穴部９４Ａに連通される。大径穴部９４Ｄの開口端は、液体流出穴９４の他方の開口端９４Ｆを構成する。液体流出穴９４の他方の開口端９４Ｆは、液体流路ＷＴの他方の開口端である。
【００９７】
液体導出管９５は、図２２及び図２９に示すように、他方の開口端９５Ｂ側を容器側キャップ８３内から液体導出筒９３内に液密に圧入して配置される。
これにより、液体導出管９５は、図２２及び図２３に示すように、液体導出筒９３を通して液体流出穴９４に連通される。
【００９８】
液体流路開閉弁７３は、図２１、図２３及び図２５に示すように、スプレー本体７２に配置されて、液体流路ＷＴ（液体流出穴９４）を開閉する。
液体流路開閉弁７３は、液体弁座９７（液体弁座穴）、液体弁体軸９８及び弁体復帰バネ９９を有する。
【００９９】
液体弁座９７は、図２３及び図２５に示すように、液体流出穴９４のミスト側液体絞り穴部９４Ｃに形成される。液体弁座９７は、図２３及び図２５に示すように、円錐穴（円錐台形穴）の液体弁座穴に形成される。液体弁座９７は、ミスト側液体絞り穴部９４Ｃと同心に配置される。液体弁座９７（円錐穴）は、シリンダー穴部９４Ａに開口されて、大径穴部９４Ｄに向けて段々に縮径する円錐状に形成される。液体弁座９７は、ミスト側液体絞り穴部９４Ｃ及びシリンダー穴部９４Ａに連通される。
【０１００】
液体弁体軸９８は、図２３及び図２５に示すように、弁軸１００、弁体１０１、弁軸溝１０２、バネ受け円板１０３、複数の液体流れ穴１０４、バネ受けリング１０５を有する。
【０１０１】
弁軸１００は、断面円形の軸に形成される。弁体１０１は、弁軸１００の一方の軸端に一体に形成される。弁体１０１は、弁軸１００の一方の軸端から離間する方向に段々に縮径しつつ延在される円錐形（円錐軸）に形成される。
【０１０２】
弁軸溝１０２は、図２３に示すように、弁軸１００の他方の軸端側（弁体１０１と反対の軸端側）に形成される。弁軸溝１０２は、例えば、環状溝であって、弁軸１００の周方向において、弁軸１００の外周面に開口して形成される。
これにより、弁軸溝１０２は、弁軸１００に縮径した小径軸部１００Ａを形成する。
【０１０３】
バネ受け円板１０３は、図２３及び図２５に示すように、弁軸１００の一方の軸端側に配置され、弁軸１００に一体に形成される。バネ受け円板１０３は、弁軸１００の径外方向において、弁軸１００の外周から突出される。
各液体流れ穴１０４は、図２３及び図２５に示すように、弁軸１００の周方向に間隔を隔てて配置される。各液体流れ穴１０４は、弁軸１００の軸中心線Ｄの方向において、バネ受け円板１０３を貫通して形成される。
【０１０４】
液体弁体軸９８は、図２３及び図２５に示すように、液体流出穴９４（液体流路ＷＴ）のシリンダー穴部９４Ａ内に配置される。液体弁体軸９８は、シリンダー穴部９４Ａ（液体弁座９７）と同心に配置される。液体弁体軸９８は、図２３及び図２５に示すように、弁体１０１を液体弁座９７に向けて配置される。液体弁体軸９８は、弁体１０１を液体弁座９７（液体弁座穴）内に挿入して、弁体１０１を液体弁座９７に当接して配置される。液体弁体軸９８は、バネ受け円板１０３及びシリンダー穴部９４Ａ（液体流出穴９４）の間に隙間を隔てて、シリンダー穴部９４Ａ内に配置される。
液体弁体軸９８は、図２３に示すように、弁軸１００を弁軸穴８７に挿通（貫通）して配置される。弁軸１００は、弁軸穴８７を摺動自在に挿通（貫通）して、他方の軸端側及び弁軸溝１０２（小径軸部１０１Ａ）を収納凹部８６内に突出して配置される。
【０１０５】
バネ受けリング１０５は、図２３に示すように、シリンダー穴部９４Ａ内に配置される。バネ受けリング１０５は、案内板８５の間に弾性のパッキンリング１０６を介在して、弁軸１００に外嵌される。弁軸１００は、バネ受けリング１０５及びパッキンリング１０６を摺動自在に貫通して配置される。
【０１０６】
弁体復帰バネ９９は、図２３及び図２５に示すように、コイルバネ（圧縮コイルバネ）であって、シリンダー穴部９４Ａ内（液体流出穴９４内）に配置される。弁体復帰バネ９９は、弁軸１００に隙間を隔てて外嵌されて、バネ受け円板１０３及びバネ受けリング１０５の間に配置される。
弁体復帰バネ９９は、一方のバネ端をバネ受け円板１０３に当接し、及び他方のバネ端をバネ受けリング１０５に当接して配置される。
これにより、弁体復帰バネ９９は、図２３及び図２５に示すように、バネ力（付勢力）によって、弁体１０１を液体弁座９７（液体弁座穴）に付勢（押圧）して、液体流出穴９４（液体流路ＷＴ）を閉弁する。弁体復帰バネ９９は、バネ力（付勢力）によって、バネ受けリング１０５及びパッキンリング１０６を案内板８５に付勢（押圧）して、パッキンリング１０６にてシリンダー穴部９４Ａを収納凹部８６から液密にする。
なお、液体流出穴９４（液体流路ＷＴ）において、容器側液体絞り穴部９４Ｂは、図２３に示すように、バネ受けリング１０５、パッキンリング１０６を貫通して、シリンダー穴部９４Ａに連通される。
【０１０７】
弁開閉手段７４は、スプレー本体７２に配置され、手動操作に伴って、液体流路開閉弁７３を開弁又は閉弁する。弁開閉手段７４は、図１８乃至図２４に示すように、例えば、弁開閉ボタンで構成される（以下、「弁開閉ボタン７４」という）。
弁開閉ボタン７４は、図１８及び図２４に示すように、矩形状（長方形）の箱体に形成される。弁開閉ボタン７４は、矩形状の操作板１１１、複数の側板１１２，１１３，１１４、支点板１１５、及び軸保持溝１１６を有する。
【０１０８】
側板１１２は、図２４に示すように、操作板１１１の長手方向ＬＸにおいて、一方の端辺（短辺）に一体に形成される。各側板１１３，１１４は、操作板１１１の短手方向ＳＸにおいて、各端辺（各長辺）に一体に形成される。各側板１１２，１１３，１１４は、操作板１１１と直交して、操作板１１１の裏面から同方向に突出される。
【０１０９】
支点板１１５は、図２４に示すように、操作板１１１の長手方向ＬＸにおいて、他方の端辺（短辺）に一体に形成されている。支点板１１５は、操作板１１１と直交して、操作板１１１の裏面から各側板１１２，１１３，１１４と同方向に突出されている。支点板１１５は、図２４に示すように、各側板１１２，１１３，１１４の板端から板長さＬを有して突出して形成されている。
【０１１０】
軸保持溝１１６は、図２４に示すように、短手方向ＳＸの中心（中央）において、支点板１１５に形成される。軸保持溝１１６は、支点板１１５の板端１１５Ａに開口して、操作板１１１側に延在される。軸保持溝１１６は、操作板１１１側に円形溝部１１７を有する。軸保持溝１１６（円形溝部１１７）は、操作板１１１の長手方向ＬＸにおいて、支点板１１５を貫通して形成される。
【０１１１】
弁開閉ボタン７４（弁開閉手段）は、図２３に示すように、支点板１１５の板端１１５Ａを収納凹部８６の凹所底板８６Ａに向けて、収納凹部８６内に配置される。弁開閉ボタン７４は、支点板１１５を案内板８５（本体シリンダー８１）に向けて、収納凹部８６内に挿入される。
弁開閉ボタン７４は、図２３に示すように、各側板１１２，１１３，１１４、支点板１１５と、収納凹部８６の間に隙間を隔てて、収納凹部８６内に配置される。弁開閉ボタン７４は、図２３に示すように、支点板１１５の板端１１５Ａを収納凹部８６の凹所底板８６Ａに当接し、及び操作板１１１を収納凹部８６から突出して配置される。
弁開閉ボタン７４は、図２３に示すように、収納凹部８６内において、軸保持溝１１６内に弁体軸１１０を挿入して配置される。液体弁体軸９８は、図２３に示すように、収納凹部８６内において、弁軸１００の小径軸部１００Ａ（弁軸溝１０２）を軸保持溝１１６の円形溝部１１７に挿入して配置される。このとき、円形溝部１１７周りの支点板１１５（以下、「支点板１１５の一部」という）は、弁軸溝１０２内に挿入され、小径軸部１００Ａの外周面に当接される。支点板１１５の一部は、ミストスプレーＸ２の前後方向ＦＲにおいて、弁軸溝１０２に隙間を隔てて挿入され、弁軸１００の他方の軸端側に位置する弁軸溝１０２の溝側面に当接される。
これにより、液体弁体軸９８において、弁軸１００は、図２３に示すように、弁開閉ボタン７４に連結される。
弁開閉ボタン７４は、図２３に示すように、支点板１１５の板端１１５Ａを凹所底板８６Ａに当接した状態において、弁軸１００に支持される。
弁開閉ボタン７４は、ミストスプレーＸ２の上下方向ＵＤにおいて、各側板１１２，１１３，１１４を収納凹部８６の凹所底板８６Ａに間隔を隔てて、弁軸１００に支持される。
【０１１２】
ミストスプレーＸ２において、噴霧ノズル４は、図８及び図９で説明したと同様に、ノズルキャップ４８に一体に形成され、及びノズル穴４９、ノズル雌ネジ部５０、及びノズル絞り穴５１を有する。
【０１１３】
ミストスプレーＸ２において、ミスト発生手段５は、図８乃至図１１で説明したと同様に、噴霧ノズル４に配置され、ミスト絞り穴５５、及びガイド体５６（ガイド円板５７及びミストガイド５８）を備える。
【０１１４】
ミストスプレーＸ２において、噴霧ノズル４、ミスト発生手段５及びノズルキャップ４８は、図９で説明したと同様に、ノズルユニットＮＵを構成する。
【０１１５】
ノズルユニットＮＵ（噴霧ノズル４、ミスト発生手段５及びノズルキャップ４８）は、図１８乃至図２３、及び図２５に示すように、スプレー本体７２に配置される。
ノズルユニットＮＵは、図２２及び図２５に示すように、水止め体６３を介在してスプレー本体７２に取付けられる。
水止め体６３は、は、図２５に示すように、水止め板６４（水止め絞り穴６５）から液体流出穴９４（液体流路ＷＴ）の大径穴部９４Ｄ内に圧入（挿入）されて、スプレー本体７２（ミスト側キャップ８４）に配置される。
水止め体６３は、液体弁座９７（液体弁体軸９８）と同心に配置され、水止め絞り穴６５を液体弁座９７内（ミスト側液体絞り穴部９４Ｃ内）に連通する。
これにより、水止め体６３は、水止め液体絞り穴６５を通して、液体流出穴９４（液体流路ＷＴ）に連通される。
【０１１６】
ノズルユニットＮＵ（噴霧ノズル４、ミスト発生手段５及びノズルキャップ４８）は、図２２及び図２５に示すように、液体流出穴９４（液体流路ＷＴ）の他方の開口端９４Ｆにおいて、ノズルキャップ４８をミスト側キャップ８４の小径キャップ部９０に外嵌して、スプレー本体７２に取付けられる。
ノズルユニットＮＵは、ノズルキャップ４８のノズル雌ネジ部５０に小径キャップ部９０の雄ネジ部９２を螺着し、及び水止め体６３の他方の筒端をノズルキャップ４８のノズル穴４９内に挿入して配置される。ノズルユニットＮＵは、ノズルキャップ４８を回動して、小径キャップ部９０の雄ネジ部９２をノズル雌ネジ部５０に螺入して、スプレー本体７２（ミスト側キャップ８４）に固定される。
ガイド体５６は、図２５に示すように、ノズル穴４９内のガイド円板５７を水止め体６３の他方の筒端に当接して、水止め体６３に支持される。
これにより、ノズルユニットＮＵにおいて、噴霧ノズル４（ノズル絞り穴５１）は、図２５に示すように、ミスト絞り穴５５（第１及び第２ミスト流路β１，β２）、ガイド円板５７の各液体流れ穴５９、及び水止め体６３を通して、液体流出穴８（液体流路ＷＴ）の他方の開口端９４Ｆに連通される。
ノズルユニットＮＵにおいて、ミスト絞り穴５５（ミスト発生手段５）は、図２５に示すように、ガイド円板５７の各液体流れ穴５９、水止め体６３内部、水止め絞り穴６５を通して、液体流出穴９４（液体流路ＷＴ）に連通される。ノズルユニットＮＵにおいて、ミスト絞り穴５５は、図２５に示すように、液体流出穴９４側（液体流路ＷＴ側）から縮径しつつ噴霧ノズル４を貫通する円錐穴（円錐台形穴）に形成される。
ノズルユニットＮＵにおいて、第１及び第２ミスト流路β１，β２は、図２５に示すように、ミスト絞り穴５５内に開口され、ガイド円板５７の各液体流れ穴５９、水止め体６３内部、水止め絞り穴６５を通して、液体流出穴９４（液体流路ＷＴ）に連通される。
【０１１７】
気体流路ＡＲは、図２１乃至図２３、及び図２９に示すように、気体導入筒１２１、気体流入穴１２２（気体流入流路）、及び気体導入管１２３を備えて構成される。
【０１１８】
気体導入筒１２１は、図２２、図２３及び図２９に示すように、円筒状に形成される、気体導入筒１２１は、操作体８２（スプレー本体７２）に一体に形成される。気体導入筒１２１は、ミストスプレーＸ２の上下方向ＵＤにおいて、操作体８２から容器側キャップ８３内に突出して配置される。気体導入筒１２１は、液体導出筒９３、及び容器側キャップ８３の内周面（雌ネジ部８８）に間隔を隔てて配置される。
【０１１９】
気体流入穴１２２は、図２１乃至図２３、及び図２９に示すように、スプレー本体７２（操作体８２）に形成される。気体流入穴１２２は、ミストスプレーＸ２の上下方向ＵＤにおいて、操作体８２の収納凹部８６の下側に配置される。気体流入穴１２２は、一方の開口端１２２Ａを、気体導入筒１２１に連通される。
【０１２０】
気体導入管１２３は、図２９に示すように、他方の開口端１２３Ｂ側を容器側キャップ８３内に配置して、気体流入穴１２２の一方の開口端１２２Ａに連通される。
【０１２１】
圧縮気体供給手段７５は、気体流入穴１２２（気体流路ＡＲ）に連通され、圧縮気体（例えば、圧縮空気）を気体流路ＡＲを通して液体容器１に貯留した液体Ｗの中に供給する。
圧縮気体供給手段７５は、図１８乃至図２１、図２６乃至図２８に示すように、圧縮気体シリンダー１３１、圧縮気体ピストン体１３２、シリンダー蓋１３３、圧縮気体シャフト１３４及び操作ハンドル１３５を備える。
【０１２２】
圧縮気体シリンダー１３１は、図１８、図１９及び図２１に示すように、例えば、スプレー本体７２と一体に形成される。圧縮気体シリンダー１３１は、ミストスプレーＸ２の前後方向ＦＲにおいて、操作体８２に連続（隣接）して配置され、操作体８２と一体に形成される。圧縮気体シリンダー１３１は、シリンダー中心線ＧをミストスプレーＸ２の前後方向ＵＤに向けて配置され、ミストスプレーＸ２の前後方向ＦＲに延在される。圧縮気体シリンダー１３１は、操作体８２に隣接する一方のシリンダー端１３１Ａが閉塞され、及び他方のシリンダー端１３１Ｂが開口されている。
圧縮気体シリンダー１３１は、図２７及び図２８に示すように、一方のシリンダー端１３１Ａを、操作体８２の閉塞板部８２Ｆで閉塞して配置される。
圧縮気体シリンダー１３１は、気体絞り穴１３６を有する。気体絞り穴１３６は、ミスミストスプレーＸ２の前後方向ＵＤにおいて、閉塞板部８２Ｆを貫通して、気体流入穴１２２（気体流路ＡＲ）、及び圧縮気体シリンダー１３１内に開口される。
これにより、圧縮気体シリンダー１３１は、気体絞り穴１３６を通して、気体流入穴１２２の他方の開口端１２２Ｂに連通される。
なお、気体流入穴１２２の他方の開口端１２２Ｂは、気体流路ＡＲの他方の開口端である。
【０１２３】
圧縮気体シリンダー１３１は、図２８に示すように、他方のシリンダー端１３１Ｂ側に雄ネジ部１３７を有する。雄ネジ部１３７は、圧縮気体シリンダー１３１の外周面１３１Ｙに形成される。
【０１２４】
圧縮気体ピストン体１３２は、図２１、図２６及び図２７に示すように、ピストン本体１４１、弾性のシールリング１４２を備える。
【０１２５】
ピストン本体１４１は、図２６及び図２７に示すように、ピストン軸１４５、第１ピストン円板１４６、第２ピストン円板１４７、複数（２つ）の気体流れ突起１４８を有する。
【０１２６】
ピストン軸１４５は、図２６及び図２７に示すように、ネジ穴１４９を有する。ネジ穴１４９は、ピストン軸１４５と同心に配置されて、ピストン軸１４５内に形成されている。ネジ穴１４９は、ピストン軸１４５の軸心線Ｆの方向に延在されて、ピストン軸１４５の一方の軸端１４５Ａに開口される。
【０１２７】
第１ピストン円板１４６は、図２６及び図２７に示すように、ピストン軸１４５と同心に配置されて、ピストン軸１４５に一体に形成される。第１ピストン円板１４６は、ピストン軸１４５の軸中心線Ｆの方向において、他方の軸端１４５Ｂ側に配置される。第１ピストン円板１４６は、ピストン軸１４５の外周面１４５Ｃから突出して形成される。
第１ピストン円板１４６は、図２６及び図２７に示すように、複数（２つ）の気体流れ溝１５１を有する。各気体流れ溝１５１は、ピストン軸１４５（第１ピストン円板１４６）の周方向に等間隔を隔てて配置される。各気体流れ溝１５１は、ピストン軸１４５の軸心線Ｆの方向において、第１ピストン円板１４６を貫通して形成される。各気体流れ溝１５１は、ピストン軸１４５の外周面１４５Ｃから延在して第１ピストン円板１４６の外周面１４６Ａに開口される。
第２ピストン円板１４７は、図２６及び図２７に示すように、ピストン軸１４５の軸心線Ｆの方向において、一方の軸端１４５Ａ側に配置される。第２ピストン円板１４７は、ピストン軸１４５の軸心線Ｆの方向において、第１ピストン円板１４６にリング間隔Ｔを隔てて並列（並設）される。第２ピストン円板１４７は、ピストン軸１４５と同心に配置されて、ピストン軸１４５に一体に形成される。
第２ピストン円板１４７は、ピストン軸１４５の外周面１４５Ｃから突出して形成される。
【０１２８】
各気体流れ突起１４８は、図２６及び図２７に示すように、第１及び第２ピストン円板１４６．１４７の間に配置される。各気体流れ突起１４８は、ピストン軸１４５（第１及び第２ピストン円板１４６，１４７）の周方向に等間隔を隔てて配置され、例えば、各気体流れ溝１５１の位置に形成される。
各気体流れ突起１４８は、ピストン軸１４５に一体に形成される。各気体流れ突起１４８は、ピストン軸１４５の外周面１４５Ｃから突出して、第１及び第２ピストン円板１４６．１４７の外周面１４６Ａ，１４７Ａに間隔を隔てて配置される。
【０１２９】
ピストン本体１４１は、図２１及び図２７に示すように、圧縮気体シリンダー１３１内に配置される。ピストン本体１４１は、ピストン軸１４５の他方の軸端１４５Ｂ（第１ピストン円板１４６）を操作体８２側（スプレー本体７２側）に向けて、圧縮気体シリンダー１３１内に挿入される。
ピストン本体１４１において、ピストン軸１４５は、図２７に示すように、圧縮気体シリンダー１３１と同心に配置され、圧縮気体シリンダー１３１のシリンダー中心線Ｇの方向に延在される。
ピストン本体１４１において、第１ピストン円板１４６は、図２７に示すように、圧縮気体シリンダー１３１の内周面１３１Ｘに隙間τを隔てて配置される。第２ピストン円板１４７は、圧縮気体シリンダー１３１の他方のシリンダー端１３１Ｂ側（シリンダー蓋１３３側）において、第１ピストン円板１４６のリング間隔Ｔを隔てて並列される。第２ピストン円板１４７は、圧縮気体シリンダー１３１の内周面１３１Ｘに隙間γを隔てて配置される。
【０１３０】
シールリング１４２は、合成ゴム、合成樹脂等の弾性材で形成される。シールリング１４２は、図２１及び図２７に示すように、圧縮気体シリンダー１３１内に配置される。シールリング１４２は、第１及び第２ピストン円板１４６．１４７の間に配置される。シールリング１４２は、ピストン軸１４５の軸中心線Ｆの方向（圧縮気体シリンダー１３１のシリンダー中心線Ｇの方向）において、第１及び第２ピストン円板１４６，１４７にリング移動間隔Ｓを隔てて、第１及び第２ピストン円板１４６，１４７の間で移動自在に配置される。
シールリング１４２は、リング外周面１４２Ａを圧縮気体シリンダー１３１の内周面１３１Ｘに摺動自在に当接し、及びリング内周面１４２Ｂを各気体流れ突起１４８に隙間を隔てて、ピストン軸１４５に外嵌される。
これにより、圧縮気体ピストン体１３２は、シールリング１４２を圧縮気体シリンダー１３１の内周面１３１Ｘに当接しつつ、圧縮気体シリンダー１３１内に摺動自在に配置される。
【０１３１】
シリンダー蓋１３３（シリンダーキャップ）は、図２１及び図２８に示すように、圧縮気体シリンダー１３１の他方のシリンダー端１３１Ｂを閉塞して、圧縮気体シリンダー１３１に取付けられる。
シリンダー蓋１３３は、図２１及び図２８に示すように、円筒状の蓋本体１５６、及び蓋本体１５６の一方の開口端を閉塞する蓋板１５７を備える。蓋本体１５６は、雌ネジ部１５８を有し、雌ネジ部１５８は、蓋本体１５６の内周面に形成される。蓋板１５７は、図２８に示すように、シャフト穴１５９を有し、シャフト穴１５９は、蓋本体１５６と同心に配置される。シャフト穴１５９は、蓋本体１５６の筒中心線の方向において、蓋板１５７を貫通して形成される。
シリンダー蓋１３３は、蓋本体１５６を圧縮気体シリンダー１３１に外嵌して配置される。シリンダー蓋１３３は、蓋本体１５６の雌ネジ部１５８に圧縮気体シリンダー１３１の雄ネジ部１３７を螺着して配置される。シリンダー蓋１３３は、蓋本体１５６を回転して、雄ネジ部１３７を雌ネジ部１５８（蓋本体１５６内）に螺入して、圧縮気体シリンダー１３１に取外し自在に取付けられる。
【０１３２】
圧縮気体シャフト１３４は、図２１、図２７及び図２８に示すように、圧縮気体シリンダー１３１内において、圧縮気体ピストン体１３２及びシリンダー蓋１３３の間に配置される。圧縮気体シャフト１３４は、各軸端１３４Ａ，１３４Ｂ側に雄ネジ部１６１，１６２を有し、一方の軸端１３４Ａ側の雄ネジ部１６１をピストン軸１４５のネジ穴１４９に螺着して、ピストン本体１４１のピストン軸１４５（圧縮気体ピストン体１３２）に取付けられる。
圧縮気体シャフト１３４は、圧縮気体シリンダー１３１のシリンダー中心線Ｇの方向のシリンダー蓋１３３側に延在される。圧縮気体シャフト１３４は、シリンダー蓋１３３のシャフト穴１５９を貫通（挿通）して、圧縮気体シリンダー１３１の外側に突出される。圧縮気体シャフト１３４は、シャフト穴１５９（シリンダー蓋１３３）に気体流入隙間を隔てて、シリンダー蓋１３３を貫通して、圧縮気体シリンダー１３１の外側に雄ネジ部１６２（他方の軸端１３４Ｂ側）を配置する。
【０１３３】
操作ハンドル１３５は、図２１及び図２８に示すように、ネジ穴１６３を有する。操作ハンドル１３５は、ネジ穴１６３に圧縮気体シャフト１３４の雄ネジ部１６２を螺着して、圧縮気体シャフト１３４の他方の軸端１３４Ｂ側に取付けられる。
これにより、操作ハンドル１３５は、圧縮気体シリンダー１３１の外側に配置されて、圧縮気体シャフト１３４に取付けられる。
【０１３４】
ノズルユニットＵＮを組込み、及び圧縮気体シリンダー１３１（圧縮気体供給手段７５）と一体にされたスプレー本体７２（以下、「本体ユニットＢＵ」という）は、図２１に示すように、液体導出管９５（液体流路ＷＴ）、及び気体導入管１２３（気体流路ＡＲ）を、頭部１Ｃから液体容器１の内部に挿入して配置される。本体ユニットＢＵにおいて、液体導出管９５は、一方の開口端９５Ａから液体容器１の内部に挿入される。液体導出管９５は、一方の開口端９５Ａを、液体容器１に貯留した液体Ｗ（例えば、水）の中に浸漬して配置される。
なお、液体導出管９５の一方の開口端９５Ａは、液体流路ＷＴの一方の開口端である。
【０１３５】
本体ユニットＢＵにおいて、気体導入管１２３は、一方の開口端１２３Ａから液体容器１の内部に挿入される。気体導入管１２３は、一方の開口端１２３Ａを液体容器１に貯留した液体Ｗの中に浸漬して配置される。
なお、気体導入管１２３の一方の開口端１２３Ａは、気体流路ＡＲの一方の開口端である。
【０１３６】
本体ユニットＢＵは、図２２及び図２３に示すように、容器側キャップ８３の雌ネジ部８８に液体容器１（頭部１Ｃ）の雄ネジ部１Ｄを螺入（螺着）して、液体容器１に取付けられる、
本体ユニットＢＵは、容器側キャップ８３及び液体容器１の頭部１Ｃの間に弾性のシールリング１６５を配置して、液体容器１に液密に取付けられる。シールリング１６５は、合成ゴム、合成樹脂等の弾性材で形成され、容器側キャップ８３内に配置され、液体導出筒９３（液体導出管９５）、及び気体導入筒１２１（気体導入管１２３）に外嵌される。
これにより、スプレー本体７２は、液体容器１を密封して液体容器１に取付けられる。気体流路ＡＲ（気体導入管１２３）は、液体容器１に気密に配置される。
【０１３７】
気体流路逆止弁７６は、図２１、図２２、図２３及び図２９に示すように、気体流路ＡＲに配置される。気体流路逆止弁７６は、気体流入穴１２２及び気体導入管１２３の間に配置される。
気体流路逆止弁７６は、圧縮気体供給手段７５から液体容器１への圧縮気体ＰＡ（例えば、圧縮空気）の流れを許容する。
気体流路逆止弁７６は、液体容器１から圧縮気体供給手段７５への液体Ｗ及び圧縮気体ＰＡの流れを阻止（防止）する。
気体流路逆止弁７６は、図２９及び図３０に示すように、気体弁座体１７５、及び気体弁体１７６を備える。
【０１３８】
気体弁座体１７５は、図２９及び図３０に示すように、気体弁座筒１７７（気体弁座部材）、及び弁体止め筒１７８（弁体止め部材）を有する。
【０１３９】
気体弁座筒１７７は、図２９に示すように、円筒状に形成され、気体流通穴１７９、及び弁座鍔板１８０を有する。
気体流通穴１７９は、気体弁座筒１７７の筒中心線Ｋの方向において、気体弁座筒１７７を貫通して、気体弁座筒１７７の各筒端１７７Ａ，１７７Ｂに開口される。
気体流通穴１７９は、気体弁座筒１７７の各筒端１７７Ａ，１７７Ｂの間に、大径穴１８１、中径穴１８２、弁座穴１８３、及び小径穴１８４の順に形成して構成される。
大径穴１８１は、気体弁座筒１７７の一方の筒端１７７Ａに開口され、及び小径穴１８４は、気体弁座筒１７７の他方の筒端１７７Ｂに開口される。
弁座穴１８３は、中径穴１８２及び小径穴１８４に連通される。弁座穴１８３は、気体弁座筒１７７の筒中心線Ｋの方向において、中径穴１８２から小径穴１８４（他方の筒端１７７Ｂ）に向けて段々に縮径する円錐穴（円錐台形穴）に形成される。
弁座鍔板１８０は、気体弁座筒１７７の一方の筒端１７７Ａに配置されて、気体弁座筒１７７と一体に形成される。弁座鍔板１８０は、気体弁座筒１７７の径外方向に突出して形成される。
【０１４０】
弁体止め筒１７８は、図２９及び図３０に示すように、一方の筒端が筒閉塞板１８６で閉塞された円筒状に形成される。弁体止め筒１７８は、図２９及び図３０に示すように、気体流通長穴１８７を有する。気体流通長穴１８７は、筒閉塞板１８６に形成される。気体流通長穴１８７は、弁体止め筒１７８の筒中心線Ｍと直交する方向に穴幅Ｈを有して延在され、弁体止め筒１７８の外周面に開口される。
気体流通長穴１８７は、弁止め筒１７８の筒中心線Ｍの方向において、筒閉塞板１８６を貫通して、弁止め筒１７８の内部に開口される。
【０１４１】
気体弁体１７６は、図２９に示すように、例えば、球体（球弁体）に形成される。気体弁体１７６は、気体流通穴１７９の中径穴１８２の直径より小さく、弁座穴１８３の最大直径及び気体流通長穴１８７の穴幅Ｈより大きい球直径を有する。
【０１４２】
気体流路逆止弁７６は、図２９に示すように、気体弁座体１７５の気体弁座筒１７７を、気体導入筒１２１内に圧入（挿入）して配置される。気体弁座筒１７７は、小径穴１８４側（他方の筒端１７７Ｂ側）から気体導入筒１２１内に挿入され、弁座鍔板１８０を気体導入筒１２１の筒端に当接して配置される。
気体流路逆止弁７６は、図２９に示すように、弁体止め筒１７８を気体弁座筒１７７内に圧入（挿入）して配置される。弁体止め筒１７８は、筒閉塞板１８６側（気体流通長穴１８７側）から気体弁座筒１７７の大径穴１８１に圧入（挿入）される。
気体流路逆止弁７６は、気体弁体１７６を気体弁座筒１７７内に挿入して配置される。気体弁体１７６は、図２９に示すように、気体弁座筒１７７内において、弁座穴１８３及び筒閉塞板１８６の間に配置される。
【０１４３】
気体流路ＡＲにおいて、気体導入管１２３は、図２９に示すように、他方の開口端１２３Ｂ側を、弁体止め筒１７８内（気体流路逆止弁７６内）に圧入（挿入）して配置される。
これにより、気体導入管１２３は、気体流路逆止弁７６（気体流通穴１７９）を通して、気体流入穴１２２（圧縮気体シリンダー１３１）に連通される。
【０１４４】
次に、ミストスプレーＸ２（ミストスプレー装置）によるミスト状の液滴の噴射について、図１乃至図３６を参照して説明する。
なお、説明の便宜上、液体流路開閉弁７３は、図２１、図２３及び図２５に示すように、液体流出穴９４（液体流路ＷＴ）を閉弁する位置に配置されている（以下、「閉弁位置ＰＳ」という）。
また、圧縮気体供給手段７５の圧縮気体ピストン体１３２は、図４及び図２７に示すように、圧縮気体ピストン体１３２を閉塞板部８２Ｆに隣接（又は接触）した位置に配置されている（以下、圧縮気体導入位置Ｐ５）という）。
【０１４５】
圧縮気体供給手段７５において、先ず、操作ハンドル１３５を把持して、圧縮気体シャフト１３４を圧縮気体シリンダー１３１内から引き出す方向（図４のＡ方向）に引張る。
操作ハンドル１３５を引張ると、気体導入管１２３内の液体Ｗ又は気体ＡＩは、気体流路逆止弁７６に向けて流れ、弁体止め筒１７８の気体流通長穴１８７を通って、気体弁座筒１７７の中径穴１８２内（気体流通穴１７９内）に流出する。
液体Ｗ又は気体ＡＩは、気体弁座筒１７７内において、気体弁体１７６に作用して、気体弁体１７６を弁座穴１８３に向けて移動して、弁座穴１８３内に挿入する。
これにより、気体流路逆止弁７６は、図３１に示すように、気体導入管１２３を気体流入穴１２２から遮断して、気体流路ＡＲを閉弁する。
気体流路ＡＲを閉弁し、更に、操作ハンドル１３５を引張ると、圧縮気体シリンダー１３１の一方のシリンダー端１３１Ａ（閉塞板部８２Ｆ）及び圧縮気体ピストン体１３２（第１ピストン円板１４６）の間に区画される前側空間Ｙは、図３２に示すように、負圧（負圧状態）になる。
前側空間Ｙが負圧になると、圧縮気体ピストン体１３２及びシリンダー蓋１３３の間に区画される後側空間Ｚの気体ＡＺ（空気）は、後側空間Ｚから前側空間Ｙに向けて流れ、シールリング１４２に作用する。
シールリング１４２は、図３２に示すように、後側空Ｚから前側空間Ｚに向けて流れる気体ＡＺ（空気）によって、圧縮気体シリンダー１３１の内周面１３１Ｘを摺動しつつ第２ピストン円板１４７から第１ピストン円板１４６に移動され、第１ピストン円板１４６に押圧される。
これにより、後側空間Ｚの気体ＡＺ（空気）は、隙間γ（第２ピストン円板１４７及び圧縮気体シリンダー１３１の内周面１３１Ｘの間）、シールリング１４２のリング内周面１４２Ｂ及び各気体流れ突起１４８の間の隙間、及び各気体流れ溝１５１を通って、前側空間Ｙに流出される。
【０１４６】
操作ハンドル１３５を引張ると、圧縮気体ピストン体１３２は、図３３に示すように、シリンダー蓋１３３に隣接する位置（以下、「気体初期位置Ｐ６」という）に配置される。
【０１４７】
圧縮気体供給手段７５において、操作ハンドル１３５を気体初期位置Ｐ６から圧縮気体導入位置Ｐ５に向けて押すと、圧縮気体ピストン体１３２は、前側空間Ｙの容積（体積）を減少しつつ、圧縮気体シリンダー１３１の一方のシリンダー端１３１Ａ側（閉塞板部８２Ｆ側）に移動される。
これにより、前側空間Ｙの気体は、圧縮され、及び前側空間Ｙは高圧状態になる。
【０１４８】
前側空間Ｙの圧縮された気体ＰＡ（以下、「圧縮気体ＰＡ」という）は、図２７に示すように、隙間τ（第１ピストン円板１４６及び圧縮気体シリンダー１３１の内周面１３１Ｘの間）からシールリング１４２に作用する。
これにより、シールリング１４２は、圧縮空気ＰＡによって、圧縮気体シリンダー１３１の内周面１３１Ｘを摺動しつつ第１ピストン円板１４６から第２ピストン円板１４７に向けて移動され、第２ピストン円板１４７に押圧される。シールリング１４２は、図２７に示すように、隙間γ（第２ピストン円板１４７及び圧縮気体シリンダー１３１の内周面１３１Ｘの間）を閉塞して、前側空間Ｙを後側空間Ｚから遮断する。
【０１４９】
圧縮気体シリンダー１３１において、前側空間Ｙの圧縮気体ＰＡ（圧縮空気）は、図２７に示すように、気体絞り穴１３６を通って、気体流入穴１２２（気体流路ＡＲ）に流入される。圧縮気体ＰＡは、図３４に示すように、気体流入穴１２２を通して、気体流路逆止弁７６に流れて、気体弁座筒１７７の小径穴１８４を通して気体弁体１７６（球弁体）に作用する。
【０１５０】
前側空間Ｙの圧縮気体ＰＡは、図３４に示すように、一定圧以上（液体容器１の内圧以上）になると、気体弁体１７６（球弁体）を弁座穴１８３から弁体止め筒１７８に向けて移動し、筒閉塞板１８６に当接する。
これにより、気体流路逆止弁７６は、気体流入穴１２２及び気体導入管１２３を通して、気体流路ＡＲを開弁する。
【０１５１】
圧縮気体供給手段７５において、後側空間Ｚには、圧縮気体ピストン体１３２を圧縮気体導入位置Ｐ５から気体初期位置Ｐ６に移動すると、シリンダー蓋１３３のシャフト穴１５９を通して、外気（空気）が流入（導入）される。
【０１５２】
圧縮気体ＰＡは、図３４に示すように、気体流入穴１２２から、気体弁座筒１７７の気体流通穴１７９、弁体止め筒１７８の気体流通長穴１８７を通して、気体導入管１２３内に流入する。
圧縮気体ＰＡは、気体導入管１２３内を流れて、一方の開口端１２３Ａから液体容器１内に導入（流出）される。圧縮気体ＰＡは、気体導入管１２３（液体流路ＡＲ）の一方の開口端１２３Ａから液体容器１に貯留した液体Ｗ（例えば、水）の中に流出される。
これにより、圧縮気体ＰＡの一部は、液体容器１に貯留した液体Ｗに溶け込んで（液体Ｗに溶解）、液体容器１内に充填される。
圧縮気体供給手段７５の圧縮気体ピストン体１３２は、図４に示すように、圧縮気体導入位置Ｐ５に配置される。
【０１５３】
液体容器１に圧縮気体ＰＡが導入されると、気体が溶け込んだ液体ＷＡ（以下、「液体ＷＡ」という）は、図４及び図２３に示すように、液体容器１内の圧力上昇に伴って、一方の開口端９５Ａから液体導出管９５から液体導出管９５内に流入し、液体導出管９５、容器側液体絞り穴部９４Ｂを通って、シリンダー穴部９４Ａに流出する。
これにより、本体シリンダー８１（液体流出穴９４）のシリンダー穴部９４Ａは、液体ＷＡにて満たされる。液体ＷＡは、液体容器１内の圧力によって、液体導出管９５、容器側液体絞り穴部９４Ｂを通って、シリンダー穴部９４Ａ内に充填される。なお、シリンダー穴部９４Ａ内に充填された液体ＷＡは、液体流路開閉弁７３の閉弁によって、噴霧ノズル４側（ミストガイド５８側）に噴出（流出）されない。
また、液体ＷＡは、図４及び図３１に示すように、一方の開口端１２３Ａから気体導入管１２３内に流入し、気体導入管１２３、弁体止め筒１７８の気体流通長穴１８７を通って、気体弁体１７６に作用する。
気体流路逆止弁７６において、気体弁体１７６は、液体ＷＡによって、弁座穴１８３内に挿入される。
これにより、気体流路逆止弁７６は、図３１に示すように、気体導入管１２３を気体流入穴１２２から遮断して、気体流路ＡＲを閉弁する。
【０１５４】
続いて、弁開閉ボタン７４（弁開閉手段）を手動操作して、液体流路開閉弁７３を開弁する。
弁開閉ボタン７４の側板１１２側を手動操作して、収納凹部８６内（凹所底板８６Ａ側）に押す。
収納凹部８６内に押された弁開閉ボタン７４は、図３５に示すように、凹所底板８６Ａに当接する支点板１１５の板端１１５Ａを支点（基点）として、支点板１１５を圧縮気体供給手段７５側に傾斜する。
弁開閉ボタン７４は、液体弁体軸９８に当接された支点板１１５の傾斜に伴って、液体弁体軸９８（弁体１０１）を弁体復帰バネ９９のバネ力（付勢力）に抗して収納凹部８６内に移動する。
液体弁体軸９８は、弁開閉ボタン７４の手動操作（支点板１１５の傾斜）によって、弁体復帰バネ９９のバネ力（付勢力）に抗して、収納凹部８６側に移動され、弁体１０１を液体弁座９７から離間する。
これより、液体流路開閉弁７３は、図３５に示すように、シリンダー穴部９４Ａ及びミスト側液体絞り穴部９４Ｃを連通して、液体流出穴９４（液体流路ＷＴ）を開弁する。
【０１５５】
液体流路開閉弁７３を開弁すると、シリンダー穴部９４Ａ内の液体ＷＡは、液体弁座９７（液体弁座穴）、ミスト側液体絞り穴部９４Ｃ及び水止め絞り穴６５を通って、水止め体６３内に噴出（流出）される。
水止め体６３内に噴出した液体ＷＡは、図３５及び図３６に示すように、ガイド円板５７の各液体流れ穴５９を通って、ミスト絞り穴５５に流入する。
【０１５６】
ミスト絞り穴５５内に流入した液体ＷＡは、図３６に示すように、渦巻き状の第１及び第２ミスト流路β１，β２からミスト絞り穴５５内（ノズル絞り穴５１内）に噴射される。
これにより、第１及び第２ミスト流路β１，β２からミスト絞り穴５５に噴射された液体ＷＡは、高圧で乱流となる。また、ノズル絞り穴５１（ミスト絞り穴５５）からミスト状の液滴が噴射されると、ノズル絞り穴５１（ミスト絞り穴５５）の出口側（ミスト状の液滴を噴射した面）で負圧状態となる。
ミスト絞り穴５５（ノズル絞り穴５１）の出口側を負圧状態にすることで、第１及び第２ミスト流路β１，β２からミスト絞り穴５５内に噴射された高圧及び乱流の液体ＷＡは、ミスト絞り穴５５の出口部分を通過する際、減圧による液体に溶け込んだ気体の気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
また、液体ＷＡは、ミストガイド５８の円錐上面５８Ａにおいて、相互に対応する第１及び第２ミスト流路β１，β２からミスト絞り穴５５内に噴射されて、衝突されて、十分な気泡を混入したミスト状の液滴となる。気泡を混入したミスト状の液滴は、噴霧ノズル４のノズル絞り穴５１から噴射される。ミスト絞り穴５５は、気泡を混入したミスト状の液滴をノズル絞り穴５１から外部に噴射する。
これにより、ミスト発生手段５は、液体流出穴９４（液体流路ＷＴ）から流出された液体ＷＡから、気泡を混入したミスト状の液滴にする。
【０１５７】
弁開閉ボタン７４の押しを解除すると、液体弁体軸９８は、図２３及び図２５に示すように、弁体復帰バネ９９のバネ力（付勢力）によって、液体弁座９７に向けて移動され、弁体１０１を液体弁座９７（円錐穴）に挿入して当接させる。
これにより、液体流路開閉弁７３は、シリンダー穴部９４Ａをミスト側液体絞り穴部９４Ｃから遮断して、液体流出穴９４（液体流路ＷＴ）を閉弁する（閉弁位置ＰＳ）。
【０１５８】
このように、ミストスプレーＸ２は、圧縮気体供給手段７５にて圧縮気体ＰＡを液体容器１内に挿入（流入）し、更に、弁開閉ボタン７４の操作によって、液体容器１に貯留した液体ＷＡ（気体が溶け込んだ液体）からミスト状の液滴にして、噴霧ノズル４からミスト状の液滴を噴射する。
【０１５９】
ミストスプレーＸ２において、弁開閉手段７４は、弁開閉ボタンを収納凹部８６内に押すことで、液体流路開閉弁７３を開弁する構成であるが、これに限定されるものでなく、手動操作に伴って、液体流路開閉弁７３を開弁又は閉弁できる構成であれば良い。
【０１６０】
ミストスプレーＸ２において、圧縮気体供給手段７５は、圧縮気体シリンダー１３１内に圧縮気体ピストン体１３２を摺動自在に配置して、手動操作に伴って、圧縮気体ピストン体１３２を移動することで、圧縮気体ＰＡを液体容器１に貯留した液体Ｗの中に導入（供給）する構成であるが、これに限定されるものでなく、手動操作に伴って、液体容器１に貯留した液体Ｗの中に圧縮気体ＰＡを導入（供給）する構成であれば良い。
【実施例】
【０１６１】
第２実施例のミストスプレーＸ２において、ミスト発生手段５［ミスト絞り穴５５、及びミストガイド５８（ガイド体５６）］、及び圧縮気体供給手段７５を使用して、ミスト状の液滴（ミスト状の水滴）を発生した『ミスト試験』を実施した。
【０１６２】
ミスト試験は、実施例１、及び比較例１の態様で実施した。
実施例１及び比較例１は、図１８乃至図３６で説明した同様に、ミストスプレーＸ２を使用した。但し、比較例１は、ガイド体５６（ガイド円板５７及びミストガイド５８）を備えていない。
【０１６３】
（１）ミスト絞り穴
「ミスト絞り穴」は、実施例１及び比較例１で共通（同一）とした。
実施例１及び比較例１の「ミスト絞り穴（円錐穴）」について、図９を参照して説明する。
ミスト絞り穴５５は、
ミスト絞り穴５５の穴直径：ｄＭ＝４．５０ｍｍ
ミスト絞り穴５５の穴直径：ｄＦ＝１．００ｍｍ
ミスト絞り穴５５の穴長：ＭＬ＝３．９３ｍｍ
である。
【０１６４】
（２）ガイド体（ガイド円板、ミストガイド）
実施例１の「ガイド円板」、及び「ミストガイド」について、図９乃至図１１を参照して説明する。
実施例４の「ガイド円板５７」は、
ガイド円板５７の円直径：ＤＢ＝１０．００ｍｍ
である。
なお、ノズルキャップ４８のノズル穴４９は、穴直径：ｄＧ＝１０．２０ｍｍとした。
実施例４の「液体流れ穴５９」の穴数：４穴とした。
実施例４の「ミストガイド５８」は、
渦巻き面の面数；２面（第１及び第２渦巻き面）
ガイド高さ：ＧＬ＝３．５０ｍｍ
最大底幅：ＧＨ＝４．１５ｍｍ
である。
ミストガイド５８は、円錐中心線Ｌをガイド円板５７の板中心線ｅに一致して、ガイド円板５７と同心に配置した。ミストガイド５８は、円錐底平面５８Ｂをガイド円板５７の一方の板表面５７Ａに当接して、ガイド円板５７と一体に形成した（図９乃至図１１参照）。
ミストガイド５８は、円錐上面５８Ａからミスト絞り穴５５に挿入して、円錐側面５８Ｃ及びミスト絞り穴５５の円錐内周面５５Ａの間を隙間を隔てて、ミスト絞り穴５５内に装着した。
これにより、ガイド体５６（ミストガイド５８）を噴霧ノズル４に装着して、第１及び第２渦巻き面６０，６１及びミスト絞り穴５５の円錐内周面５５Ａの間に、第１及び第２ミスト流路β１，β２を形成した。
【０１６５】
比較例１は、ミスト絞り穴内にガイド体（ガイド円板及びミストガイド）を挿入しない、「ミストガイド無し」のミスト発生手段である。
【０１６６】
（３）液体、圧縮気体
実施例１及び比較例１は、同等の水（水道水）を液体容器１に貯留した。
実施例１及び比較例１は、圧縮気体供給手段を使用して、液体容器に貯留した水（液体）の中に圧縮空気（圧縮気体）を導入（流入）して、液体容器１内に圧力を同一とした。
【０１６７】
（４）気泡数量の測定
「ミスト試験」では、ミスト絞り穴５５から噴射したミスト状の水滴（液滴）に混入された気泡及び異物（不純物）の総数量を測定した。
【０１６８】
実施例１及び比較例１では、ミスト状の水滴のミリリットル（ｍｌ）当たりに含まれる気泡（バブル）及び異物の総数量を測定した。
実施例１及び比較例１について、気泡及び異物の総数を「表１」に示す。
【０１６９】
【表１】
2020142223.tif 000003
【０１７０】
実施例１では、「表１」に示すように、気泡及び異物の総数量は、２．０×１０８個である。比較例１では、「表１」に示すように、気泡及び異物の総数量は、１．４×１０７個である。実施例１及び比較例１では、同等の水（水道水）を使用しているので、異物の総数は同程度になる。
実施例１は、比較例１と比較して、十分な気泡（バブル）をミスト状の水滴（液滴）に混入できる。
【０１７１】
実施例１及び比較例１では、各気泡の直径に対する、１ミリリットル（ｍｌ）当たりの気泡の最大数量を測定した。
実施例１及び比較例１について、各気泡の直径に対する、気泡の最大数量を「表２」に示す。
【０１７２】
【表２】
2020142223.tif 000004
【０１７３】
実施例１は、各気泡直径：９８．９〜３０５．０ナノメートル（ｎｍ）に対して、気泡の最大総数：２．２×１０６〜７．０×１０６個である。比較例１は、各気泡直径：７９．９〜３４２．４ナノメートル（ｎｍ）に対して、気泡の最大総数：１．６×１０５〜５．４×１０５個である。
実施例１では、比較例１と比較して、十分なウルトラファインバブルをミスト状の水滴（液滴）に混入できる。
【０１７４】
実施例１の「ミスト試験」の結果（「表１」及び「表２」）から、ミストスプレーＸ１，Ｘ２は、ミスト発生手段（ミスト絞り穴５５及びミストガイド５８）を用いることで、十分なウルトラファインバブルをミスト状の水滴（液滴）に混入できる。また、液体容器１に貯留した水の中に圧縮空気を供給して、空気の溶け込んだ水を使用することで、十分なウルトラファインバブルをミスト状の水滴（液滴）に混入できる。
【産業上の利用可能性】
【０１７５】
本発明は、ミスト状の液滴を噴霧（噴射）するのに最適である。
【符号の説明】
【０１７６】
Ｘ１  ミストスプレー（ミストスプレー装置）
１  液体容器
２  スプレー本体
３  液体送出手段
４  噴霧ノズル
５  ミスト発生手段
５５  ミスト絞り穴
５８  ミストガイド
５８Ａ  円錐上面
５８Ｂ  円錐底平面
５８Ｃ  円錐側面
６０  第１渦巻き面
６１  第２渦巻き面
β１  第１ミスト流路
β２  第２ミスト流路
ＷＲ  液体流路
【図１】
2020142223.tif 000005
【図２】
2020142223.tif 000006
【図３】
2020142223.tif 000007
【図４】
2020142223.tif 000008
【図５】
2020142223.tif 000009
【図６】
2020142223.tif 000010
【図７】
2020142223.tif 000011
【図８】
2020142223.tif 000012
【図９】
2020142223.tif 000013
【図１０】
2020142223.tif 000014
【図１１】
2020142223.tif 000015
【図１２】
2020142223.tif 000016
【図１３】
2020142223.tif 000017
【図１４】
2020142223.tif 000018
【図１５】
2020142223.tif 000019
【図１６】
2020142223.tif 000020
【図１７】
2020142223.tif 000021
【図１８】
2020142223.tif 000022
【図１９】
2020142223.tif 000023
【図２０】
2020142223.tif 000024
【図２１】
2020142223.tif 000025
【図２２】
2020142223.tif 000026
【図２３】
2020142223.tif 000027
【図２４】
2020142223.tif 000028
【図２５】
2020142223.tif 000029
【図２６】
2020142223.tif 000030
【図２７】
2020142223.tif 000031
【図２８】
2020142223.tif 000032
【図２９】
2020142223.tif 000033
【図３０】
2020142223.tif 000034
【図３１】
2020142223.tif 000035
【図３２】
2020142223.tif 000036
【図３３】
2020142223.tif 000037
【図３４】
2020142223.tif 000038
【図３５】
2020142223.tif 000039
【図３６】
2020142223.tif 000040